(57)【要約】【課題】窓部の第２透過部を好適に保持することができる遊技機を提供すること。【解決手段】遊技領域１０を視認するための窓部５１を有する開閉部５０を備え、窓部５１は、第１透過部２６１を有する第１構成部２６０と、第１透過部２６１とは異なる第２透過部２５１を有し、第１構成部２６０に対して遊技領域１０と反対側に突出するように形成された第２構成部２５０と、から構成され、第２透過部２５１の少なくとも一部を一面側と他面側とから挟み込むように所定位置に保持する第１保持部２５２ｂと第２保持部２５３ｂとを備える。【選択図】図２６
2018126192.tif 000002
【特許請求の範囲】
【請求項１】
遊技が可能な遊技機であって、
遊技領域を視認するための窓部を有する開閉部を備え、
前記窓部は、
第１透過部を有する第１構成部と、
前記第１透過部とは異なる第２透過部を有し、前記第１構成部に対して前記遊技領域と反対側に突出するように形成された第２構成部と、
から構成され、
前記第２透過部の少なくとも一部を一面側と他面側とから挟み込むように所定位置に保持する第１保持部と第２保持部とを備える
ことを特徴とする遊技機。
【発明の詳細な説明】
【技術分野】
【０００１】
本発明は、遊技が可能な遊技機に関する。
【背景技術】
【０００２】
遊技機の一例であるパチンコ遊技機やスロットマシンにあっては、遊技機の前面側に設けられる窓部を透して遊技領域を視認できるようになっている。
【０００３】
この種の遊技機において、窓部が、所定の間隔をもって互いに平行に配置される２枚の透明板（第１透過部、第２透過部）にて構成されるとともに、２枚の透明板のうち遊技盤側の透明板（第２透過部）の一部に孔部を形成し、演出用の可動体を、該演出用の可動体の一部が孔部を介して遊技盤側の透明板よりも遊技者側に配置されるように設けたもの等があった（例えば、特許文献１参照）。
【０００４】
また、表示装置を、該表示装置の一部が孔部を介して遊技盤側の透明板（第２透過部）よりも遊技者側に配置されるように設けたもの等があった（例えば、特許文献２参照）。
【先行技術文献】
【特許文献】
【０００５】
【特許文献１】特開２００９−７８０１５号公報
【特許文献２】特開平７−２９９１８７号公報
【発明の概要】
【発明が解決しようとする課題】
【０００６】
上記特許文献１、２に記載の遊技機にあっては、窓部における遊技者側の透明板（第２透過部）を保持する方向について検討されていなかった。
【０００７】
本発明は、このような問題点に着目してなされたもので、窓部の第２透過部を好適に保持することができる遊技機を提供することを目的とする。
【課題を解決するための手段】
【０００８】
前記課題を解決するために、本発明の手段１の遊技機は、
遊技が可能な遊技機（例えば、パチンコ遊技機１／スロットマシン１０００）であって、
遊技領域（例えば、遊技領域１０）を視認するための窓部（例えば、窓部５１）を有する開閉部（例えば、開閉枠５０）を備え、
前記窓部は、
第１透過部（例えば、後透過板２６１）を有する第１構成部（例えば、第１構成部２６０／第１構成部５６０）と、
前記第１透過部とは異なる第２透過部（例えば、前透過板２５１）を有し、前記第１構成部に対して前記遊技領域と反対側（例えば、前側）に突出するように形成された第２構成部（例えば、第２構成部２５０／第２構成部５５０）と、
から構成され、
前記第２透過部の少なくとも一部を一面（例えば、前面）側と他面（例えば、後面）側とから挟み込むように所定位置に保持する第１保持部（例えば、第１保持部２５２ｂ）と第２保持部（例えば、第２保持部２５３ｂ）とを備える（例えば、第１周壁部２５２ａの前側開口の周縁部には、前透過板２５１の周縁部の前面側に配置される環状の第１保持部２５２ｂが形成される。第２周壁部２５３ａの前側開口の周縁部には、前透過板２５１の周縁部の背面に配置される環状の第２保持部２５３ｂが形成される。図２６参照。）
ことを特徴としている。
この特徴によれば、第２透過部を所定位置に好適に保持することができる。
【０００９】
本発明の手段２の遊技機は、手段１に記載の遊技機であって、
前記第２構成部（例えば、第２構成部２５０）は、前記第２透過部（例えば、前透過板２５１）と、該第２透過部と前記第１透過部（例えば、後透過板２６１）との間を閉鎖する周壁部（例えば、第１筒状体２５２、第２筒状体２５３）とから構成され、
前記周壁部は、
前記第１保持部（例えば、第１保持部２５２ｂ）を有する第１周壁部（例えば、第１周壁部２５２ａ）と、
前記第１周壁部の内側に嵌合され前記第２保持部（例えば、第２保持部２５３ｂ）を有する第２周壁部（例えば、第２周壁部２５３ａ）と、
を有し、
前記第２透過部が前記第１保持部と前記第２保持部とにより前記所定位置に保持された状態において、前記第２周壁部は前記第２透過部の周縁より前記第１周壁部側に突出する（例えば、第２筒状体２５３の第２周壁部２５３ａの上端は、前透過板２５１の前面よりも前方側に寸法Ｌ４分突出している。図２６、図２７参照。）
ことを特徴としている。
この特徴によれば、第２透過部と第１周壁部との間から差し込まれた異物の奥側への進入を抑制することができる。
【００１０】
本発明の手段３の遊技機は、手段２に記載の遊技機であって、
前記第２透過部（例えば、前透過板２５１）は、前記第２保持部（例えば、第２保持部２５３ｂ）を介して前記第２周壁部（例えば、第２周壁部２５３ａ）に固着されている（例えば、前透過板２５１は、背面側の周縁部が第２筒状体２５３の第２保持部２５３ｂの前面に接着剤等を介して固着されている。図２６、図２７参照。）
ことを特徴としている。
この特徴によれば、第２透過部と第１周壁部との間から差し込まれた異物の奥側への進入を抑制することができる。
【００１１】
本発明の手段４の遊技機は、手段１〜３のいずれかに記載の遊技機であって、
前記第２構成部（例えば、第２構成部２５０）は、前記第２透過部（例えば、前透過板２５１）と、該第２透過部と前記第１透過部（例えば、後透過板２６１）との間を閉鎖する周壁部（例えば、第１筒状体２５２、第２筒状体２５３）とから構成され、
前記周壁部は、
前記第１保持部（例えば、第１保持部２５２ｂ）を有する第１周壁部（例えば、第１周壁部２５２ａ）と、
前記第１周壁部の内側に嵌合され前記第２保持部（例えば、第２保持部２５３ｂ）を有する第２周壁部（例えば、第２周壁部２５３ａ）と、
を有し、
前記第２周壁部（例えば、第２周壁部２５３ａ）は、前記第１周壁部（例えば、第１周壁部２５２ａ）に対し交換可能に取付けられている（例えば、係止部材２８５の係止状態を解除すれば、第２構成部２５０から第１構成部２６０を取外すことが可能となる。）
ことを特徴としている。
この特徴によれば、第２周壁部のみを容易に交換することができる。
【００１２】
本発明の手段５の遊技機は、手段４に記載の遊技機であって、
前記第２構成部は、前記第１構成部に対し上部側が下部側よりも大きく突出しており、
前記第２周壁部は、前記第１周壁部に対し上部側が下部側よりも多くの取付手段により取付けられている（例えば、第２周壁部２５３ａは、第１周壁部２５２ａに対し上部側が４つのネジＮ１と４つのネジＮ４とで連結され、下部側が５つのネジＮ１で連結されている。図１９参照。）
ことを特徴としている。
この特徴によれば、第１周壁部に第２周壁部を取付けることで生じる歪みを極力小さくすることができる。
【００１３】
本発明の手段６の遊技機は、手段１〜５のいずれかに記載の遊技機であって、
前記第２構成部（例えば、第２構成部２５０）は、前記第２透過部（例えば、前透過板２５１）と、該第２透過部と前記第１透過部（例えば、後透過板２６１）との間を閉鎖する周壁部（例えば、第１筒状体２５２、第２筒状体２５３）とから構成され、
前記周壁部は、
前記第１保持部（例えば、第１保持部２５２ｂ）を有する第１周壁部（例えば、第１周壁部２５２ａ）と、
前記第１周壁部の内側に嵌合され前記第２保持部（例えば、第２保持部２５３ｂ）を有する第２周壁部（例えば、第２周壁部２５３ａ）と、
を有し、
前記第１周壁部と前記第２周壁部には放熱用孔部（例えば、孔部２５７Ｌ，２５７Ｒ、孔部２５９Ｌ，２５９Ｒ）が形成され、
前記放熱用孔部を前記遊技領域と反対側から閉鎖可能な閉鎖部材（例えば、カバー部材２７３Ｌ，２７３Ｒ）が、前記遊技領域側で取付けられている（例えば、カバー部材２７３Ｒは、ボス２７３ｂ，２７３ｃを第１筒状体２５２の孔部２５７Ｒを介して第２筒状体２５３のボス受け２５９ｂ，２５９ｃに挿入し、ボス受け２５９ｂ，２５９ｃの背面側（遊技領域１０側）からネジＮ２を螺入することにより取付けられる。図２０参照。）
ことを特徴としている。
この特徴によれば、閉鎖部材が不正に取外されて放熱用孔部から異物が進入されることを抑制できる。
【００１４】
本発明の手段７の遊技機は、手段１〜６のいずれかに記載の遊技機であって、
前記第２構成部（例えば、第２構成部２５０）は、前記第２透過部（例えば、前透過板２５１）と、該第２透過部と前記第１透過部（例えば、後透過板２６１）との間を閉鎖する周壁部（例えば、第１筒状体２５２、第２筒状体２５３）とから構成され、
前記周壁部は、
前記第１保持部（例えば、第１保持部２５２ｂ）を有する第１周壁部（例えば、第１周壁部２５２ａ）と、
前記第１周壁部の内側に嵌合され前記第２保持部（例えば、第２保持部２５３ｂ）を有する第２周壁部（例えば、第２周壁部２５３ａ）と、
を有し、
前記第１周壁部の前面側に配置される装飾部材（例えば、カバー部材２７３Ｌ，２７３Ｒ）を備え、
前記装飾部材は、前記第２周壁部の背面側から該第２周壁部と前記第１周壁部とに挿入したネジ（例えば、ネジＮ２）により取付けられる（例えば、カバー部材２７３Ｒは、ボス２７３ｂ，２７３ｃを第１筒状体２５２の孔部２５７Ｒを介して第２筒状体２５３のボス受け２５９ｂ，２５９ｃに挿入し、ボス受け２５９ｂ，２５９ｃの背面側（遊技領域１０側）からネジＮ２を螺入することにより取付けられる。図２０参照。）
ことを特徴としている。
この特徴によれば、第１周壁部や第２周壁部を取外すことなく装飾部材を交換できる。
【００１５】
本発明の手段８の遊技機は、手段１〜７のいずれかに記載の遊技機であって、
前記第２構成部には、前記第１透過部に対し傾斜する方向を向く放熱用孔部が形成されている（例えば、第２構成部２５０には、後透過板２６１に対し傾斜する方向を向く放熱用孔部が形成されている。図２７参照。）
ことを特徴としている。
この特徴によれば、放熱用孔部を介して内部を覗かれたり異物を進入し難くすることができる。
【００１６】
本発明の手段９の遊技機は、手段１〜８のいずれかに記載の遊技機であって、
前記第２構成部（例えば、第２構成部２５０）は、前記第２透過部（例えば、前透過板２５１）と、該第２透過部と前記第１透過部（例えば、後透過板２６１）との間を閉鎖する周壁部（例えば、第１筒状体２５２、第２筒状体２５３）とから構成され、
前記周壁部は、
前記第１保持部（例えば、第１保持部２５２ｂ）を有する第１周壁部（例えば、第１周壁部２５２ａ）と、
前記第１周壁部の内側に嵌合され前記第２保持部（例えば、第２保持部２５３ｂ）を有する第２周壁部（例えば、第２周壁部２５３ａ）と、
前記第１周壁部と前記第２周壁部との間に設けられる補強板（例えば、補強板２５８）と、
を有する
ことを特徴としている。
この特徴によれば、周壁部に孔をあけて異物を進入させる不正行為を抑制できる。
【００１７】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１８】
【図１】パチンコ遊技機を正面から見た正面図である。
【図２】主基板における回路構成の一例を示すブロック図である。
【図３】遊技機用枠を開放した状態を示す斜視図である。
【図４】遊技機用枠の構造を示す正面図である
【図５】開閉枠の構造を示す背面図である。
【図６】（Ａ）は窓部ユニットを示す正面図、（Ｂ）は窓部ユニットを示す背面図である。
【図７】（Ａ）は窓部ユニットを斜め前から見た状態を示す斜視図、（Ｂ）は窓部ユニットを斜め後から見た状態を示す斜視図である。
【図８】窓部ユニットの構成を斜め前から見た状態を示す分解斜視図である。
【図９】窓部ユニットの構成を斜め後ろから見た状態を示す分解斜視図である。
【図１０】（Ａ）は第１構成部材の正面図、（Ｂ）は第１構成部材の背面図である。
【図１１】（Ａ）は第１構成部材を斜め前から見た状態を示す斜視図、（Ｂ）は第１構成部材を斜め後から見た状態を示す斜視図である。
【図１２】第１構成部材と異物進入阻止部材とを斜め後から見た分解斜視図である。
【図１３】（Ａ）は第１筒状体を示す正面図、（Ｂ）は、第１筒状体を示す背面図である。
【図１４】（Ａ）は第１筒状体を斜め前から見た状態を示す斜視図、（Ｂ）は第１筒状体を斜め後から見た状態を示す斜視図である。
【図１５】（Ａ）は係止部材を斜め後から見た状態を示す分解斜視図、（Ｂ）は、係止部材を斜め前から見た状態を示す分解斜視図、（Ｃ）は係止部材の第１回動位置を示す説明図、（Ｄ）は、係止部材の第２回動位置を示す説明図である。
【図１６】（Ａ）は第２筒状体を示す正面図、（Ｂ）は、第２筒状体を示す背面図である。
【図１７】（Ａ）は第２筒状体を斜め前から見た状態を示す斜視図、（Ｂ）は第２筒状体を斜め後から見た状態を示す斜視図である。
【図１８】（Ａ）は第１筒状体の第１保持部を示す概略図、（Ｂ）は第２筒状体の第２保持部を示す概略図である。
【図１９】第１筒状体及び第２筒状体の構成を斜め後下方向から見た状態を示す分解斜視図である。
【図２０】（Ａ）は窓部ユニットの右下部分を斜め前から見た状態を示す分解斜視図、（Ｂ）は窓部ユニットの右下部分を斜め後ろから見た状態を示す分解斜視図である。
【図２１】窓部ユニットの右下部分の要部拡大図である。
【図２２】第１構成部材と第２構成部材とを斜め後から見た分解斜視図である。
【図２３】（Ａ）〜（Ｃ）は第１構成部材と第２構成部材とを組付ける手順を示す説明図である。
【図２４】（Ａ）は第２構成部材に第１構成部材を取付ける前の平面断面図、（Ｂ）は第２構成部材に第１構成部材を取付けた後の平面断面図である。
【図２５】窓部ユニットの周壁部の正面断面図である。
【図２６】図２５のＡ−Ａ断面図である。
【図２７】（Ａ）は図２５のＢ−Ｂ断面図、（Ｂ）はＣ−Ｃ断面図である。
【図２８】開閉枠の構造を斜め後ろからみた斜視図である。
【図２９】開閉枠に窓部ユニットを取付ける前の状態を示す側断面図である。
【図３０】開閉枠に窓部ユニットを取付けられた後の状態を示す側断面図である。
【図３１】開閉枠に窓部ユニットを取付ける前の状態を示す平面断面図である。
【図３２】（Ａ）（Ｂ）は開閉枠に対する窓部ユニットの取付手順を示す説明図である。
【図３３】開閉枠を閉鎖した状態を示す側断面図である。
【図３４】開閉枠を閉鎖した状態を示す平面断面図である。
【図３５】（Ａ）は窓部ユニットにおいて行われる虞のある不正行為の一例を示す説明図、（Ｂ）は本実施例において不正行為を抑制する手段を示す説明図である。
【図３６】本発明の変形例１を示す説明図である。
【図３７】本発明の変形例２を示す説明図である。
【図３８】本発明の変形例３を示す説明図である。
【図３９】（Ａ）は本発明の変形例４としての窓部ユニットを示す縦断面図、（Ｂ）は変形例５としての窓部ユニットを示す縦断面図である。
【図４０】（Ａ）は本発明の変形例６としての窓部ユニットを示す正面図、（Ｂ）は同じく縦断面図である。
【発明を実施するための形態】
【００１９】
本発明に係る遊技機を実施するための形態を実施例に基づいて以下に説明する。
【実施例】
【００２０】
まず、遊技機の一例であるパチンコ遊技機１の全体の構成について説明する。図１は、パチンコ遊技機を正面から見た正面図である。図２は、主基板における回路構成の一例を示すブロック図である。図３は、遊技機用枠を開放した状態を示す斜視図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００２１】
図１は、本実施例におけるパチンコ遊技機の正面図であり、主要部材の配置レイアウトを示す。パチンコ遊技機（以下、遊技機と略記する場合がある）１は、大別して、遊技盤面２００Ａを前面側に有する遊技盤２（ゲージ盤ともいう）と、遊技盤２を支持固定する遊技機用枠（台枠）３とから構成されている。遊技盤２には、ガイドレール２ｂ（図３及び図４参照）によって囲まれた正面視略円形状の遊技領域１０が形成されている。この遊技領域１０は、遊技媒体としての遊技球が打球発射装置（図示略）から発射されて打ち込まれ、打ち込まれた遊技球が流下可能な領域とされている。
【００２２】
また、遊技機用枠３には、遊技領域１０を視認するための窓部５１が設けられた開閉枠５０が左側辺を中心として回動可能に設けられ、該開閉枠５０により遊技領域１０を開閉できるようになっており、開閉枠５０を閉鎖したときに窓部５１を通して遊技領域１０を透視できるようになっている。また、開閉枠５０は、遊技機用枠３の前面全域を被覆可能な大きさに形成されており、窓部５１は、開閉枠５０を閉鎖したときに遊技領域１０に対応する位置に配置される。また、窓部５１の下方には打球操作ハンドルが設けられている。
【００２３】
遊技盤２は、図３、図３３及び図３４に示すように、アクリル樹脂、ポリカーボネート樹脂、メタクリル樹脂等の透光性を有する合成樹脂材（透過性部材）にて正面視略四角形状に形成され、前面である遊技盤面２００Ａに障害釘（図示略）やガイドレール２ｂ（図３参照）等が設けられた盤面板２００と、該盤面板２００の背面側に一体的に取付けられるスペーサ部材２０５と、から主に構成されている。尚、本実施例の遊技盤２は、透光性を有する合成樹脂材にて構成されていたが、これに限られるものではなく、ベニヤ板等の非透光性部材にて正面視略四角形状に構成されていてもよい。
【００２４】
遊技盤２の所定位置（図１に示す例では、遊技領域１０の左側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２５】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５Ａの表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２６】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２７】
また、演出表示装置５は、遊技盤２よりも背面側に配設され、窓部５１及び該遊技盤２に形成された開口２ｃを通して視認できるようになっている。尚、遊技盤２における開口２ｃには枠状のセンター飾り枠５２が設けられている。
【００２８】
演出表示装置５の表示領域の下部の左右２個所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２９】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００３０】
第１特別図柄表示器４Ａ及び第２特別図柄表示器４Ｂの右側方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００３１】
演出表示装置５の下方には、普通入賞球装置６Ａが設けられ、演出表示装置５の右下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板を有する普通電動役物を備え、始動領域（第２始動領域）としての第２始動入賞口を形成する。
【００３２】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００３３】
図１に示すように、普通入賞球装置６Ａの右方位置には、特別可変入賞球装置７が設けられている。特別可変入賞球装置７は、図２に示すソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３４】
大入賞口を通過（進入）した遊技球が図２に示すカウントスイッチ２３によって検出されたことに基づき、所定個数（例えば１５個）の遊技球が賞球として払い出される。従って、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３５】
第２保留表示器２５Ｂの右側方位置には、普通図柄表示器２０が設けられている。普通図柄表示器２０の右側方位置には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３６】
遊技領域１０の下方における遊技機用枠３の所定位置には、賞球として払い出された遊技球や所定の球貸機により貸し出された遊技球を、打球発射装置（図示略）へと供給可能に保持（貯留）する上皿９０（打球供給皿ともいう）が設けられている。遊技機用枠３の下部には、上皿９０から溢れた余剰球やファール球などをパチンコ遊技機１の外部へと排出する排出口（図示略）が設けられている。
【００３７】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３８】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３９】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００４０】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００４１】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００４２】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ及び演出用ＬＥＤ９といった演出用の電気部品による演出動作を制御するための各種回路が搭載されている。
【００４３】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００４４】
演出表示装置５の演出図柄表示エリア５Ｌ，５Ｃ，５Ｒでは、特図ゲームが開始されることに対応して、演出図柄の変動表示が開始される。
【００４５】
次に、パチンコ遊技機１における遊技の進行を概略的に説明する。パチンコ遊技機１では、遊技領域１０に設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの可動板が遊技領域１０から退避する開放制御が行われ、所定時間が経過すると遊技領域１０に突出する閉鎖位置に戻る通常開放制御が行われる。
【００４６】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００４７】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００４８】
大当り遊技状態においては、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１の状態（開放状態）とするラウンドが実行される。
【００４９】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２の状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。
【００５０】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。リーチ状態とは、演出表示装置５の表示領域にて停止表示された演出図柄が大当り組合せの一部を構成しているときに未だ停止表示されていない演出図柄については変動が継続している表示状態、あるいは、全部または一部の演出図柄が大当り組合せの全部または一部を構成しながら同期して変動している表示状態のことである。
【００５１】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００５２】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００５３】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動板の移動制御を行う移動制御時間を通常状態のときよりも長くする制御、その移動回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００５４】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００５５】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために各種の処理が選択されて実行される。
【００５６】
特別図柄プロセス処理において、ＣＰＵ１０３は、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００５７】
また、ＣＰＵ１０３は、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵ１０３は、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００５８】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口を開閉させる処理を行う大当り開放前処理、大当り開放中処理、大当り開放後処理、大当り終了処理を行う。
【００５９】
次に、演出制御基板１２の動作を説明する。先ず、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００６０】
演出制御プロセス処理では、演出表示装置５Ａの第１保留記憶表示エリア５Ｄ及び第２保留記憶表示エリア５Ｕでの保留記憶表示を、保留記憶バッファの記憶内容に応じた表示に更新する保留表示更新処理を実行する。次いで、演出制御プロセスフラグの値に応じて、遊技制御用マイクロコンピュータ１００から変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、演出表示装置５の表示および動作制御、スピーカ８Ｌ，８Ｒからの音出力、演出用ＬＥＤ９の発光及び各種駆動制御等を行う演出図柄変動中処理、演出図柄の変動を停止し表示結果（停止図柄）を導出表示する制御を行う演出図柄変動停止処理を行う。
【００６１】
大当り表示処理においては、変動時間の終了後、演出表示装置５に大当りの発生を報知するための画面を表示する制御を行う。大当り遊技中処理においては、大当り遊技中の制御を行う。大当り終了演出処理においては、演出表示装置５において、大当り遊技状態が終了したことを遊技者に報知する表示制御を行う。
【００６２】
このように演出制御用ＣＰＵ１２０は、遊技制御用マイクロコンピュータ１００から送信された演出制御コマンド（制御情報）に基づいて、演出図柄の変動表示制御や予告演出といった遊技に関連する各種演出を実行可能とされている。
【００６３】
尚、演出制御用ＣＰＵ１２０が演出図柄の変動表示中において実行する予告演出としては、例えば、大当りの可能性を示唆する大当り予告演出や、リーチになるか否かを示唆するリーチ予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。
【００６４】
本実施例では、以下に説明する可動体３００による可動体演出や、可動体とスピーカ８Ｌ，８Ｒ、及び演出用ＬＥＤ９等とによる複合演出や、遊技者がスティックコントローラまたはプッシュボタン等の操作手段を操作したことを条件に実行される操作演出といった各種演出が各種予告として実行可能とされている。
【００６５】
次に、図３〜図５に基づいて、パチンコ遊技機１の構造について説明する。図４は、遊技機用枠の構造を示す正面図である。図５は、開閉枠の構造を示す背面図である。
【００６６】
図３に示すように、外枠６０は、上板６１、下板６２、左側板６３及び右側板６４により縦長四角枠状に形成されている。上板６１及び下板６２は木材により板状に形成されており、遊技場等に設置される図示しない遊技島に釘等を介して設置固定できるようになっている。左側板６３及び右側板６４は、アルミニウム材の押出成型により板状に形成されている。
【００６７】
外枠６０の開口下部には幕板６５が設けられ、開口下部が閉塞されている。外枠６０の左上角部及び左下角部には、遊技機用枠３の左上角部及び左下角部に設けられた上下方向を向く回動軸（図示略）を回動可能に支持する軸受部（図示略）が設けられており、遊技機用枠３は、外枠６０の左側辺付近を中心として該外枠６０の開口を閉鎖する閉鎖位置と開口を開放する開放位置との間で回動可能に支持されている。
【００６８】
図３及び図４に示すように、遊技機用枠３には、遊技盤２の背面側に設けられる各種部品や装置を被覆する裏カバー７０（図３３及び図３４参照）が挿入可能な大きさを有する開口部（図示略）が形成されている。また、開口部の左側上下位置には、前面側に盤押え部３１を有する係止凹部が設けられているとともに、右側上下位置には、盤押え金具（図示略）が設けられている。よって、遊技機用枠３の前方から遊技盤２の背面の裏カバー７０を開口部に挿入し、該遊技盤２の左端部、詳しくは、スペーサ部材２０５の左端部を係止凹部に差し込んだ状態で右端部を盤押え金具（図示略）で係止することにより、遊技機用枠３に遊技盤２を取付けできるようになっている。このとき、盤押え部３１と盤面板２００とは、左右方向に離間して配置され、その間に空間が形成されている。また、盤押え金具の係止状態を解除すれば遊技盤２を遊技機用枠３から容易に取外すことができる。
【００６９】
図５に示すように、開閉枠５０は、略中央部に後述する窓部ユニット５１Ａを挿入可能な開口部５０ａ（図２８参照）を有しており、開口部５０ａの右側上方位置、左側上下位置には、窓押え部材５０Ａが設けられている。よって、開閉枠５０の後方から窓部ユニット５１Ａを開口部５０ａに挿入し、窓押え部材５０Ａにより係止することにより、開閉枠５０に窓部ユニット５１Ａを取付けできるようになっており、窓押え部材５０Ａの係止状態を解除すれば窓部ユニット５１Ａを開閉枠５０から容易に取外すことができる。また、開閉枠５０に窓部ユニット５１Ａを取付けることで開口部５０ａが閉鎖され、窓部ユニット５１Ａを開閉枠５０から取外すことで開口部５０ａが開口される。
【００７０】
次に、窓部５１を構成する窓部ユニット５１Ａについて、図６〜図２７に基づいて概略的に説明する。図６は、（Ａ）は窓部ユニットを示す正面図、（Ｂ）は窓部ユニットを示す背面図である。図７は、（Ａ）は窓部ユニットを斜め前から見た状態を示す斜視図、（Ｂ）は窓部ユニットを斜め後から見た状態を示す斜視図である。図８は、窓部ユニットの構成を斜め前から見た状態を示す分解斜視図である。図９は、窓部ユニットの構成を斜め後ろから見た状態を示す分解斜視図である。図１０は、（Ａ）は第１構成部材の正面図、（Ｂ）は第１構成部材の背面図である。図１１は、（Ａ）は第１構成部材を斜め前から見た状態を示す斜視図、（Ｂ）は第１構成部材を斜め後から見た状態を示す斜視図である。図１２は、第１構成部材と異物進入阻止部材とを斜め後から見た分解斜視図である。図１３は、（Ａ）は第１筒状体を示す正面図、（Ｂ）は、第１筒状体を示す背面図である。図１４は、（Ａ）は第１筒状体を斜め前から見た状態を示す斜視図、（Ｂ）は第１筒状体を斜め後から見た状態を示す斜視図である。図１５は、（Ａ）は係止部材を斜め後から見た状態を示す分解斜視図、（Ｂ）は、係止部材を斜め前から見た状態を示す分解斜視図、（Ｃ）は係止部材の第１回動位置を示す説明図、（Ｄ）は、係止部材の第２回動位置を示す説明図である。図１６は、（Ａ）は第２筒状体を示す正面図、（Ｂ）は、第２筒状体を示す背面図である。図１７は、（Ａ）は第２筒状体を斜め前から見た状態を示す斜視図、（Ｂ）は第２筒状体を斜め後から見た状態を示す斜視図である。図１８は、（Ａ）は第１筒状体の第１保持部を示す概略図、（Ｂ）は第２筒状体の第２保持部を示す概略図である。図１９は、第１筒状体及び第２筒状体の構成を斜め後下方向から見た状態を示す分解斜視図である。図２０は、（Ａ）は窓部ユニットの右下部分を斜め前から見た状態を示す分解斜視図、（Ｂ）は窓部ユニットの右下部分を斜め後ろから見た状態を示す分解斜視図である。図２１は、窓部ユニットの右下部分の要部拡大図である。図２２は、第１構成部材と第２構成部材とを斜め後から見た分解斜視図である。図２３は、（Ａ）〜（Ｃ）は第１構成部材と第２構成部材とを組付ける手順を示す説明図である。図２４は、（Ａ）は第２構成部材に第１構成部材を取付ける前の平面断面図、（Ｂ）は第２構成部材に第１構成部材を取付けた後の平面断面図である。図２５は、窓部ユニットの周壁部の正面断面図である。図２６は、図２５のＡ−Ａ断面図である。図２７は、（Ａ）は図２５のＢ−Ｂ断面図、（Ｂ）はＣ−Ｃ断面図である。
【００７１】
図６〜図９に示すように、窓部ユニット５１Ａは、第１構成部２６０と、第１構成部２６０から遊技盤２（遊技領域１０）と反対側に突出する第２構成部２５０と、から主に構成されている。
【００７２】
第１構成部２６０は、透明なアクリル樹脂、ポリカーボネート樹脂、メタクリル樹脂等の透光性を有する合成樹脂材からなり、開閉枠５０を閉鎖したときに盤面板２００の開口２ｃに対応する位置に配置される孔部２７０が形成された後透過板２６１と、非透光性の合成樹脂材により枠状に形成された枠体２６２と、から構成されている。
【００７３】
特に図１０〜図１２に示すように、後透過板２６１は、枠体２６２の開口２６２Ａを閉鎖するように枠体２６２の背面に接着剤等を介して固着される。具体的には、枠体２６２の背面側には、後透過板２６１を嵌合可能な凹部が形成されており、凹部を構成する前壁部２６２Ｂの背面（網点部分）と後透過板２６１の前面側周縁部とが接着剤等で固着されている。すなわち、前壁部２６２Ｂの背面と後透過板２６１の前面側周縁部とが全周に亘って広い面積で固着されるため、後透過板２６１と枠体２６２とが強固に一体化される。
【００７４】
また、枠体２６２の左辺の上部及び下部には、外側に張り出す突片部２６２ａ，２６２ｂが形成されており、突片部２６２ａ，２６２ｂの背面側には、背面側に突出する突起部２６２ｃ，２６２ｄが形成されている。また、枠体２６２の左右辺の前面には、後述する第１筒状体２５２の係止部２８６が係止される被係止部２６２ｈがそれぞれ前方側に突出するように設けられている。
【００７５】
また、枠体２６２の下辺には、下方に突出する取付片２６２ｅが左右方向に離間して２つ形成されている。また、枠体２６２の上辺には、上方に延びる取付片２６２ｆが左右方向に離間して２つ形成されており、取付片２６２ｆの背面側には、盤面側（第１構成部２６０の向き）を示す表示（図１２における拡大図参照、「盤面側」なる文字が表示された）がなされている。これによれば、第１構成部２６０の取付方向の間違いを防止できるようになっている。また、枠体２６２の上辺には、前後に貫通する縦長のスリット２６２ｇが左右方向に離間して２つ形成されている。
【００７６】
尚、本実施例では、取付片２６２ｆの背面側に第１構成部２６０の向きを示す表示がなされていたが、本発明はこれに限定されるものではなく、例えば、第１構成部２６０の所定位置に例えば、「Ａ」，「Ｂ」なる文字を表示するとともに、第２構成部２５０における取付片２６２ｆと対応する位置にも「Ａ」，「Ｂ」なる文字を表示し、第１構成部２６０の「Ａ」，「Ｂ」の表示と、第２構成部２５０の「Ａ」，「Ｂ」の表示とを合わせて取付けることにより、第１構成部２６０及び第２構成部２５０の取付方向の間違いを防止するようにしてもよい。また、後述する開閉枠５０の凹部５０ｂにも例えば「Ａ」，「Ｂ」なる文字を表示し、第２構成部２５０の「Ａ」，「Ｂ」の表示と開閉枠５０の「Ａ」，「Ｂ」の表示とを合わせて取付けることにより、窓部ユニット５１Ａ及び開閉枠５０の取付方向の間違いを防止するようにしてもよい。尚、各部材の方向を合わせる手段は、「Ａ」，「Ｂ」等の表示に限られず、識別可能であれば、色や形状等を各部材に対応させてそれぞれ設けられていてもよい。
【００７７】
また、後透過板２６１の孔部２７０には、後述するように、開閉枠５０を閉鎖した状態において、孔部２７０から遊技領域１０における孔部２７０に対応しない領域への異物の進入を阻止するための異物進入阻止部材２８０が取付けられている。
【００７８】
異物進入阻止部材２８０は、後透過板２６１に対し平行をなし孔部２７０の周縁に沿って延びる第１壁部２８１と、第１壁部２８１背面における開口内周縁から背面側に突出するように立設された第２壁部２８２と、により環状に形成され、第２壁部２８２の周方向における所定箇所には、後透過板２６１に係止する係止爪２８３が複数形成されている。第１壁部２８１における係止爪２８３近傍には、背面側に突出する突起部２８１ａが形成されており、突起部２８１ａが後透過板２６１に形成された孔部２７０に嵌入されることで異物進入阻止部材２８０が後透過板２６１に位置決めされ（特に図１１（Ｂ）参照）、係止爪２８３が後透過板２６１に係止されることで異物進入阻止部材２８０が後透過板２６１に固定される。
【００７９】
尚、第２壁部２８２は、後透過板２６１の孔部２７０よりも小径に形成されている。つまり、第２壁部２８２と孔部２７０との間に隙間が形成されるため、異物進入阻止部材２８０を後透過板２６１に取付けやすくなっている（図３５（Ｂ）参照）。また、第２壁部２８２の外周面における係止爪２８３の近傍には、第２壁部２８２と孔部２７０との間の間隔を保つためのスペーサ部２８４が設けられており、異物進入阻止部材２８０を後透過板２６１に取付ける際にガイドするように機能する。
【００８０】
図６〜図９に戻って、第２構成部２５０は、透明なガラス材からなる前透過板２５１と、非透光性の合成樹脂材により筒状に形成された第１筒状体２５２及び第２筒状体２５３からなる周壁部（筒状部）と、から構成されている。第２筒状体２５３は、第１筒状体２５２の内部に背面側の開口から嵌合可能に設けられ、第２筒状体２５３の前端に前透過板２５１を固定した状態で第１筒状体２５２に背面側から挿入嵌合することで、前透過板２５１の周縁部が第１筒状体２５２と第２筒状体２５３とにより前後から挟持されるようになっている。尚、前透過板２５１の組付けの詳細に関しては、後に詳述する。
【００８１】
尚、第１筒状体２５２の外周面と、第２筒状体２５３の内周面にはメッキ加工が施され、メッキ加工により補強されている。また、第１筒状体２５２の内周面と第２筒状体２５３の外周面との間には、金属板から成る略Ｃ字形状の補強板２５８が配設され、補強板２５８により補強されている。
【００８２】
図１３及び図１４に示すように、第１筒状体２５２は、筒状を成す第１周壁部２５２ａと、第１周壁部２５２ａにおける後側の開口周縁部から周囲に広がるように形成された板状のフランジ部２５６と、を有している。第１周壁部２５２ａの前側開口の周縁部には、前透過板２５１の周縁部の前面側に配置される環状の第１保持部２５２ｂが形成されるとともに、第１保持部２５２ｂの下方における左右側には、前後に連通する孔部２５７Ｌ，２５７Ｒが形成されている（図１８（Ａ）参照）。尚、本実施例では、第１筒状体２５２は、第１周壁部２５２ａとフランジ部２５６とが一体成型にて形成されているが、本発明はこれに限定されるものではなく、第１周壁部２５２ａとフランジ部２５６とは別個の部材にて構成されていてもよい。
【００８３】
また、第１筒状体２５２の後側開口の周縁部内側には、第２筒状体２５３を取付けるためのネジ孔２５２ｃが複数形成されている。また、フランジ部２５６の上辺における前面の略中央部には、運搬用の把持部２５６ａが凹設されているとともに、フランジ部２５６の上辺における背面の左右両側には、第２構成部２５０に第１構成部２６０を取付けるための係止部材２８５が設けられている。
【００８４】
図１５（Ａ）（Ｂ）に示すように、係止部材２８５は、一端側に貫通孔２８５ａが形成され、他端側の前面に凹部２８５ｂが形成されており、前面及び背面には、長手方向に延びる突条部２８５ｃ，２８５ｄが形成されている。係止部材２８５は、フランジ部２５６から背面側に突出する回動軸２５６ｆに対し回動可能に挿通されており、長手方向が上下方向を向く第１回動位置（図１５（Ｃ）参照）と、右方向（右の係止部材２８５の場合は左方向）に傾倒する第２回動位置（図１５（Ｄ）参照）と、に変更（回動）可能にネジＮ３で取付けられている。尚、係止部材２８５が第２回動位置にあるときには、凹部２８５ｂがフランジ部２５６から背面側に突出する突出軸２５６ｇに嵌合するとともに、正面側の突条部２８５ｃがフランジ部２５６から背面側に突出する突起部２５６ｈに接触し、それ以上左側に回動すること（第２回動位置と反対側に傾倒すること）が規制され、係止部材２８５が第１回動位置にて保持される。また、突条部２８５ｄを把持することができるため、係止部材２８５を操作しやすくなっている。
【００８５】
また、フランジ部２５６の上辺における左右には、外側に張り出す突片部２５６ｂ，２５６ｃが設けられている。また、フランジ部２５６の下辺には、下方に延びる取付片２５６ｄが左右方向に離間して２つ形成されており、取付片２５６ｄには、上方に開口する凹部２５６ｅが形成されており、前端及び後端の下縁が面取加工されている（図２６及び図２７（Ｂ）参照）。また、フランジ部２５６の下辺の左側には、外側に張り出す突片部２５６ｋが設けられている。また、フランジ部２５６の左右辺の背面には、枠体２６２の被係止部２６２ｈに係止可能な鉤状の係止部２８６が設けられている（図２２拡大部参照）。
【００８６】
図１６及び図１７に示すように、第２筒状体２５３は、筒状を成す第２周壁部２５３ａを有している。第２周壁部２５３ａの前側開口の周縁部には、前透過板２５１の周縁部の背面に配置される環状の第２保持部２５３ｂが形成されるとともに、第２保持部２５３ｂの下方における左右側（孔部２５７Ｌ，２５７Ｒと前後に対応する位置）には、前後に連通するスリット状の孔部２５９Ｌ，２５９Ｒが形成されている（図１８（Ｂ）参照）。尚、前透過板２５１は、前透過板２５１に対して接着剤等を介して固着される。また、第２筒状体２５３の後側開口の周縁部外側には、ネジ孔２５２ｃに対応する取付孔２５３ｃが複数形成されている。
【００８７】
図１９に示すように、第２筒状体２５３は、第１筒状体２５２の後側開口から嵌合し、各取付孔２５３ｃに背面側からネジＮ１を取付け、該ネジＮ１を第１筒状体２５２の各ネジ孔２５２ｃに螺入することにより第１筒状体２５２に一体化されて筒状部を構成するとともに、これら第１筒状体２５２の第１保持部２５２ｂ及び第２筒状体２５３の第２保持部２５３ｂの間に保持された前透過板２５１も一体化されて第２構成部２５０を構成する。
【００８８】
第１筒状体２５２及び第２筒状体２５３は、上壁部の前後長さ寸法が下壁部の前後長さ寸法よりも長寸となるように形成されていることで、縦断面視略三角状をなしており、前透過板２５１は、下方に向けて後側に傾斜する、つまり、上端が前側に傾倒する傾倒姿勢をなすように配置されている（特に図２６参照）。
【００８９】
尚、第１周壁部２５２ａの内周面上部における前方側には、内側に突出する突起部２８７が複数（本実施例では４つ）形成されており、第２周壁部２５３ａの内周面上部における前方側には、第１筒状体２５２と第２筒状体２５３とを接続したときに突起部２８７の内側に嵌合する嵌合部２８８が複数（本実施例では４つ）形成されている（図２６のＤ−Ｄ断面図参照）。
【００９０】
各突起部２８７には、背面側からネジＮ４を螺入可能なネジ孔２８７ａが形成されているとともに、嵌合部２８８の背面側の壁部には、ネジ孔２８７ａに対応する孔部２８８ａが形成されている。第１周壁部２５２ａの突起部２８７の内側に第２周壁部２５３ａの嵌合部２８８が嵌合させ、孔部２８８ａを介して背面側からネジＮ４をネジ孔２８７ａに螺入することにより、第１筒状体２５２と第２筒状体２５３とが接続される。このように、第２周壁部２５３ａは、第１周壁部２５２ａに対し上部側が４つのネジＮ１と４つのネジＮ４とで連結され、下部側が５つのネジＮ１で連結されている。すなわち、第２周壁部２５３ａは、第１周壁部２５２ａに対し上部側が下部側よりも多くのネジ（取付手段）により取付けられている。
【００９１】
具体的には、本実施例のように、上端が前側に傾倒する傾倒姿勢をなす第２構成部２５０の場合、下部側に比べ上部側に対して荷重がかかりやすいため、第１周壁部２５２ａと第２周壁部２５３ａとの上部に歪みが発生し易いが、第１周壁部２５２ａ及び第２周壁部２５３ａの上部において下部に比べて多くのネジにより連結されるため、第１周壁部２５２ａと第２周壁部２５３ａとの上部に発生する歪みを極力小さくすることができる。
【００９２】
尚、本実施例では、第１周壁部２５２ａに対し上部側が下部側よりも多くのネジにより取付けられていたが、第１筒状体２５２と第２筒状体２５３とを接続したときに第１周壁部２５２ａの突起部２８７の内側に第２周壁部２５３ａの嵌合部２８８が嵌合すれば、第１筒状体２５２と第２筒状体２５３との上部の連結強度が高まるため、ネジＮ４の構成を省略してもよい。
【００９３】
尚、本実施例では、第１筒状体２５２及び第２筒状体２５３からなる筒状部は、下壁部の前後長さ寸法が上壁部の前後長さ寸法に比べて極端に短いが、本発明はこれに限定されるものではなく、上壁部と下壁部の前後長さ寸法はほぼ同じであってもよいし、上壁部の前後長さ寸法が下壁部の前後長さ寸法よりも短寸となっていてもよい。また、前透過板２５１の全周縁に沿うように設けられる筒状部でなくても、前透過板２５１の周縁の一部に沿うアーチ状部であってもよい。
【００９４】
第１筒状体２５２及び第２筒状体２５３が組付けられた状態にあっては、孔部２５７Ｌ，２５７Ｒと孔部２５９Ｌ，２５９Ｒとが対応して配置され、この孔部２５７Ｌ，２５７Ｒ及び孔部２５９Ｌ，２５９Ｒは、前面側からカバー部材２７３Ｌ，２７３Ｒにより閉塞されている（図６〜図９参照）。
【００９５】
具体的には、図２０に示すように、第２筒状体２５３の孔部２５９Ｒの一部には、透過性を有する窓部２５９ａが形成されており、孔部２５９Ｒの左右両側には、ボス受け２５９ｂ，２５９ｃが形成されている。カバー部材２７３Ｒは、第１筒状体２５２の孔部２５７Ｒを閉塞可能な大きさに形成されており、左右両側には、ボス受け２５９ｂ，２５９ｃに挿入可能なボス２７３ｂ，２７３ｃが形成され、右側には、窓部２５９ａを挿入可能な孔部２７３ｄが形成されている。
【００９６】
カバー部材２７３Ｒは、ボス２７３ｂ，２７３ｃを第１筒状体２５２の孔部２５７Ｒを介して第２筒状体２５３のボス受け２５９ｂ，２５９ｃに挿入し、ボス受け２５９ｂ，２５９ｃの背面側（遊技領域１０側）からネジＮ２を螺入することにより取付けられる。つまり、第１筒状体２５２がカバー部材２７３Ｒと第２筒状体２５３とにより前後から挟持されるように取付けられるため、第２構成部２５０の連結強度が向上する。尚、孔部２５７Ｌ及び孔部２５９Ｌとカバー部材２７３Ｌとの取付構造は、上記孔部２５７Ｒ及び孔部２５９Ｒとカバー部材２７３Ｒの取付構造と略同一であるため、説明を省略する。
【００９７】
また、図２１に示すように、窓部ユニット５１Ａを取付けた開閉枠５０を閉鎖状態とした際には、遊技盤２に貼付された証紙ＳＳ（製造年月日等が表記された第三者機関発行のラベル）が孔部２５７Ｒ及び孔部２５９Ｒの背面側に配置される。証紙ＳＳは、透過性を有する窓部２５９ａを介して正面側（詳しくは、左斜め上側）から視認可能となっている。
【００９８】
尚、本実施例の窓部ユニット５１Ａにあっては、窓部ユニット５１Ａ内にＬＥＤ照明や画像表示装置（例えば、プロジェクタ等）等の演出用部材を設置しない形態を例示したため、孔部２５７Ｌ，２５７Ｒ及び孔部２５９Ｌ，２５９Ｒをカバー部材２７３Ｌ，２７３Ｒにより閉塞しているが、例えば、窓部ユニット５１Ａ内に演出用部材を設置した場合、カバー部材２７３Ｌ，２７３Ｒを取外し、前記演出用部材から発せられる熱を外部へ排出するための放熱用孔部として利用してもよい。
【００９９】
図２２に示すように、第１構成部２６０における各取付片２６２ｅを第２構成部２５０における各取付片２５６ｄの凹部２５６ｅに差し込み、第１構成部２６０のスリット２６２ｇを第２構成部２５０の係止部材２８５に嵌め込み、係止部材２８５を操作して係止させることにより、第１構成部２６０と第２構成部２５０とが組付けられる（窓部ユニット５１Ａが構成される）。
【０１００】
具体的には、図２３（Ａ）に示すように、取付片２５６ｄの凹部２５６ｅは、前方側に開口部２５６ｊが形成されているとともに、第１構成部２６０の取付片２６２ｅは、後透過板２６１の背面側から前面側に屈曲し、その前端からさらに下方側に延びる形状を成しているため、開口部２５６ｊを利用して第１構成部２６０の取付片２６２ｅを斜めから挿入しやすくなっている。
【０１０１】
次いで、図２３（Ｂ）に示すように、取付片２６２ｅの下端部と凹部２５６ｅの底壁部との接触部分を支点として第１構成部２６０を回動させ、スリット２６２ｇ内に係止部材２８５を挿入する。すなわち、第１構成部２６０を第２構成部２５０に対して仮設置する。尚、スリット２６２ｇは、第１回動位置にある係止部材２８５と対応する形状に形成されているため、第１構成部２６０を第２構成部２５０に対して仮設置する際には、係止部材２８５を第１回動位置にセットしておく必要がある。
【０１０２】
第１構成部２６０を第２構成部２５０に対して仮設置すると、取付片２６２ｅが凹部２５６ｅの後壁部と接触するが、取付片２６２ｅの反力により、第１構成部２６０と第２構成部２５０との上端部同士の間が寸法Ｌ１分離間する。尚、第１構成部２６０と第２構成部２５０との仮設置状態とは、取付片２６２ｅを凹部２５６ｅに係止させたのみの自然状態、つまり、手等で第１構成部２６０を押えない状態を指す。
【０１０３】
次いで、図２３（Ｃ）に示すように、第１構成部２６０と第２構成部２５０との上端部同士が当接するように第１構成部２６０を押え、その状態で係止部材２８５を第１回動位置から第２回動位置に移動させることで第１構成部２６０と第２構成部２５０とに隙間が無い状態で組付けられる。尚、係止部材２８５が第２回動位置にあるときには、凹部２８５ｂが第１構成部２６０における枠体２６２から背面側に突出する突出部２６２ｊに嵌合するとともに、正面側の突条部２８５ｃがスリット２６２ｇの内面に接触し、それ以上右側に回動すること（第１回動位置と反対側に傾倒すること）が規制され、係止部材２８５が第２回動位置に保持される。また、係止部材２８５の係止状態を解除すれば、第２構成部２５０から第１構成部２６０を取外すことが可能となる。
【０１０４】
尚、第１構成部２６０と第２構成部２５０との仮設置状態から第１構成部２６０と第２構成部２５０との上端部同士が当接するように第１構成部２６０を押えることにより、取付片２６２ｅが前方側に弾性変形した状態となる。これによれば、第１構成部２６０と第２構成部２５０とを組付けた状態において、係止部材２８５を第２回動位置から第１回動位置に移動させることで取付片２６２ｅが弾性復帰するため、第１構成部２６０と第２構成部２５０とが仮設置状態に戻る。つまり、第１構成部２６０と第２構成部２５０との上端部同士の間が寸法Ｌ１分離間するため、第１構成部２６０と第２構成部２５０との上端部同士の間の隙間を利用して第２構成部２５０から第１構成部２６０を容易に取外すことができる。
【０１０５】
また、図２４に示すように、第１構成部２６０と第２構成部２５０との仮設置状態から第１構成部２６０と第２構成部２５０との上端部同士が当接するように第１構成部２６０を押え付けた際には、第１構成部２６０の被係止部２６２ｈに第２構成部２５０の係止部２８６が係止される。具体的には、被係止部２６２ｈは、筒状を成しており、係止部２８６は、被係止部２６２ｈにおける挿入方向とは反対側の端部に弾性係止されるようになっている。このように、係止部２８６と被係止部２６２ｈとが係止されることにより、第１構成部２６０と第２構成部２５０との離間方向への移動が規制されるため、第１構成部２６０と第２構成部２５０とにガタつきが生じることを抑制できる。
【０１０６】
尚、係止部２８６は、鉤状部における前面側（係止状態における被係止部２６２ｈとの接触面）が係止部２８６と被係止部２６２ｈとの係止を解除する方向に傾斜しているため、第１構成部２６０を第２構成部２５０から離間させる方向に引っ張ることで係止部２８６と被係止部２６２ｈとの係止状態を容易に解除することができる。
【０１０７】
前述のように、第１筒状体２５２の内周面と第２筒状体２５３の外周面との間には、金属板から成る補強板２５８が配設されている。詳しくは、図２５に示すように、補強板２５８は、第１周壁部２５２ａの突起部２８７の内側に嵌合する嵌合部２８９を有しており、該嵌合部２８９の内側に第２周壁部２５３ａの嵌合部２８８が嵌合されている。したがって、補強板２５８は、第２周壁部２５３ａに載置されるため下方側に落下することが無く、且つ嵌合部２８９の突起部２８７及び嵌合部２８８への嵌合により周方向の移動が規制（位置決め）される。
【０１０８】
尚、本実施例では、第１筒状体２５２の外周面及び第２筒状体２５３の内周面に施されたメッキ加工により装飾部が設けられているが、本発明はこれに限定されるものではなく、第１筒状体２５２の外周面及び第２筒状体２５３の内周面を着色したり絵柄を設けるなどして装飾部を構成してもよい。
【０１０９】
また、図２５に示すように、後透過板２６１は、パチンコ遊技機１を正面（遊技者側）から見たときに、盤面板２００の遊技盤面２００Ａにおいてガイドレール２ｂにより囲まれる遊技領域１０全域を前方から覆うように配置されるとともに、孔部２７０は、盤面板２００に形成された開口２ｃに対応する位置に配置される。
【０１１０】
尚、本実施例では、遊技領域１０とは、遊技球が流下可能な領域、つまり、盤面板２００の遊技盤面２００Ａにおいてガイドレール２ｂに囲まれた領域のうち開口２ｃを除く流下領域１０Ａ（図２５における右下がり斜線で示す領域）と、開口２ｃに対応する非流下領域１０Ｂ（図２５における左下がり斜線で示す領域）、つまり、図柄の変動表示が可能な演出表示装置５の変動表示部や可動体３００等を遊技者から視認可能するための領域と、を含む。また、開口２ｃにはセンター飾り枠５２が設けられていることで、遊技球が開口２ｃ内に流入することが規制されている。
【０１１１】
また、本実施例では、孔部２７０は、盤面板２００に形成された開口２ｃとは、形状が異なるとともに大きさも小さく、かつ、該開口２ｃに対応する位置に設けられているが、本発明はこれに限定されるものではなく、孔部２７０とほぼ同形に形成されていてもよいし、一部が開口２ｃの外側に位置するようになっていてもよい。
【０１１２】
よって、このように構成される遊技領域１０は、盤面板２００と後透過板２６１との間に形成される空間部であってガイドレール２ｂにより囲まれる領域とされており、窓部５１を構成する前透過板２５１と後透過板２６１とを透して、パチンコ遊技機１の前方である遊技者側から視認（透視）できるようになっている。
【０１１３】
また、第１構成部２６０と第２構成部２５０とを組付けた状態にあっては、第１構成部２６０の突片部２６２ａ，２６２ｂと、第２構成部２５０の突片部２５６ｂ，２５６ｃ，２５６ｋとが互いに重ならないように異なる位置に配置されている。これによれば、第１構成部２６０と第２構成部２５０とを分離する際に、第１構成部２６０と第２構成部２５０の突片部をそれぞれ別々に同時に把持することができるため、第１構成部２６０と第２構成部２５０との分離作業を行いやすい。さらに、前透過板２５１や後透過板２６１を直接触れる必要が無いため、前透過板２５１や後透過板２６１に指紋が付いたりすることが抑制される。
【０１１４】
図２６に示すように、第１構成部２６０と第２構成部２５０とを組付けた状態において、後透過板２６１は、略垂直をなすように起立状態で設置されるのに対し、前透過板２５１は、上方から下方に向けて漸次後側に傾斜するように、後透過板２６１に対し傾斜する前傾姿勢で配置される。そのため、後透過板２６１に対する上方の離間寸法Ｌ２よりも下方の離間寸法Ｌ３の方が短寸とされている（Ｌ２＞Ｌ３）。
【０１１５】
尚、前透過板２５１と後透過板２６１とにおける前後方向の離間幅のうち少なくとも離間幅が最大となる部分の寸法は、前透過板２５１及び後透過板２６１の板厚よりも大きいとともに、遊技球の直径よりも大きい。
【０１１６】
また、前述のように、前透過板２５１は、背面側の周縁部が第２筒状体２５３の第２保持部２５３ｂの前面に接着剤等を介して固着されている。第２筒状体２５３の第２周壁部２５３ａの上端は、前透過板２５１の前面よりも前方側に寸法Ｌ４分突出しており、第１筒状体２５２の上部における第１保持部２５２ｂは、第２周壁部２５３ａの前端から寸法Ｌ５分後方側に延びている。第２周壁部２５３ａにおける上端の寸法Ｌ４は、第１保持部２５２ｂの上端の前後寸法Ｌ５よりも大きく形成されている（Ｌ４＞Ｌ５）。つまり、第１筒状体２５２の上部における第１保持部２５２ｂの背面は、前透過板２５１の上端の前面から寸法Ｌ６分前方側に僅かに離間しており当接していないため、第１保持部２５２ｂと前透過板２５１との間には僅かな隙間が形成されている。
【０１１７】
尚、図２６及び図２７に示すように、第２周壁部２５３ａにおいて前透過板２５１よりも前方に突出する突出幅及び第１保持部２５２ｂの前後幅（第１保持部２５２ｂにおいて第２周壁部２５３ａの前端から後方側に延びる部分）は、下方に向けて略同一の縮小率で漸次縮小しているため、第１保持部２５２ｂは、前透過板２５１の前面側周縁部のいずれにおいても寸法Ｌ６分前方側に離間している。
【０１１８】
また、第２構成部２５０は、前側開口が後側開口よりも大きいため、第１周壁部２５２ａ及び第２周壁部２５３ａの上部（屋根の部分）が前方に向けて前側に傾斜しているとともに（図２６参照）、第１周壁部２５２ａ及び第２周壁部２５３ａの左右側部が前方に向けて左右方向の中央に向けて傾斜している。
【０１１９】
次いで、窓部ユニット５１Ａと開閉枠５０との関係性について図２８〜図３４に基づいて説明する。図２８は、開閉枠の構造を斜め後ろからみた斜視図である。図２９は、開閉枠に窓部ユニットを取付ける前の状態を示す側断面図である。図３０は、開閉枠に窓部ユニットを取付けられた後の状態を示す側断面図である。図３１は、開閉枠に窓部ユニットを取付ける前の状態を示す平面断面図である。図３２は、（Ａ）（Ｂ）は開閉枠に対する窓部ユニットの取付手順を示す説明図である。図３３は、開閉枠を閉鎖した状態を示す側断面図である。図３４は、開閉枠を閉鎖した状態を示す平面断面図である。
【０１２０】
図２８に示すように、開閉枠５０は、窓部ユニット５１Ａの筒状部（第１周壁部２５２ａ及び第２周壁部２５３ａ）を挿入可能な開口部５０ａを有しており、開閉枠５０の背面における開口部５０ａの周縁には、第１構成部２６０の枠体２６２と第２構成部２５０のフランジ部２５６とを挿入可能な凹部５０ｂ（図中網点領域参照）が形成されている。開閉枠５０の背面における凹部５０ｂの周縁（凹部５０ｂの上部左右側と下部左側）には、窓押え部材５０Ａが配設されている。
【０１２１】
また、開閉枠５０の背面における開口部５０ａの下方には、左右方向に延びる金属製のフレーム５４が固設されており、フレーム５４には、窓部ユニット５１Ａにおける取付片２５６ｄを挿入可能なスリット５４ａが左右方向に離間して２つ形成されている。
【０１２２】
窓押え部材５０Ａは、一端側に貫通孔が形成されており、該貫通孔を開閉枠５０の背面から突出する回動軸５０ｃに挿通することで、窓部ユニット５１Ａを取付け時に該窓部ユニット５１Ａに干渉しない係止解除位置と、窓部ユニット５１Ａに係止する係止位置と、に変更できるようになっている。また、開閉枠５０の背面における窓押え部材５０Ａの近傍には、窓押え部材５０Ａが係止解除位置にあるときに該窓押え部材５０Ａの先端に設けられた凹部に嵌合する突起部５０ｄと、窓押え部材５０Ａが係止位置にあるときに該窓押え部材５０Ａの先端に設けられた凹部に嵌合する突起部５０ｅと、が設けられている。
【０１２３】
図２９及び図３１に示すように、窓部ユニット５１Ａを開閉枠５０に取付ける際には、フレーム５４の各スリット５４ａに窓部ユニット５１Ａの各取付片２５６ｄを挿入した状態で窓部ユニット５１Ａの筒状部を開口部５０ａ内に挿入する。
【０１２４】
具体的には、図３２（Ａ）に示すように、先ず、窓部ユニット５１Ａの各取付片２５６ｄをフレーム５４の各スリット５４ａに対し背面側斜め方向から差し込む（図３２（Ａ）の一点鎖線部分参照）。そして、取付片２５６ｄを支点として窓部ユニット５１Ａの上端部を前方側に回動させ、窓部ユニット５１Ａを開閉枠５０に対して仮設置する。尚、このとき、窓押え部材５０Ａとの干渉を避けるために窓押え部材５０Ａを係止解除位置にセットしておく。前述のように、取付片２５６ｄは、前端及び後端の下縁が面取加工されているため、フレーム５４のスリット５４ａに対し挿入しやすく、且つ取付片２５６ｄを支点として窓部ユニット５１Ａを回動操作しやすくなっている。
【０１２５】
このように、取付片２５６ｄをスリット５４ａに対し挿入することで窓部ユニット５１Ａの荷重をフレーム５４に受支させた状態で回動操作して仮設置することができるため、開閉枠５０に対する窓部ユニット５１Ａの取付作業を行いやすい。
【０１２６】
また、窓部ユニット５１Ａが開閉枠５０に仮設置された状態にあっては、スリット５４ａの前端縁に取付片２５６ｄが係止され、窓部ユニット５１Ａが後方側に傾倒した状態となるため、窓部ユニット５１Ａと開閉枠５０との上端部同士の間が寸法Ｌ７分離間する。
【０１２７】
次いで、図３２（Ｂ）に示すように、窓部ユニット５１Ａと開閉枠５０との上端部同士が当接するように窓部ユニット５１Ａを背面側から押え、その状態で窓押え部材５０Ａを係止解除位置から係止位置に移動させることで、該窓押え部材５０Ａが第２構成部２５０の突片部２５６ｂ，２５６ｃ，２５６ｋに係止され、窓部ユニット５１Ａが開閉枠５０に組付けられる。
【０１２８】
尚、窓部ユニット５１Ａが開閉枠５０に組付けられたときには、開閉枠５０の背面から突出する各突起部５０ｅが、突片部２５６ｂ，２５６ｃ，２５６ｋに各々設けられた孔部（図示略）を介して突片部２５６ｂ，２５６ｃ，２５６ｋの背面側に突出し、窓押え部材５０Ａの凹部に嵌合する。これにより、窓押え部材５０Ａが窓部ユニット５１Ａを係止した状態（係止位置にある状態）が維持される。
【０１２９】
また、窓部ユニット５１Ａは、前述のように、下部に比べて上部が大きく前方に突出しているため、窓部ユニット５１Ａと開閉枠５０とが隙間が無い状態で組付けられた状態にあっては、窓部ユニット５１Ａが取付片２５６ｄを中心として前方側に倒れやすくなっている。したがって、窓押え部材５０Ａを係止解除位置に戻す、つまり、窓部ユニット５１Ａとの係止状態を解除しても窓部ユニット５１Ａと開閉枠５０とに隙間が無い状態が維持される。
【０１３０】
また、開閉枠５０から窓部ユニット５１Ａを取外す際には、窓押え部材５０Ａを係止解除位置に戻し、窓部ユニット５１Ａを正面側から後方側に押圧する、すなわち、窓部ユニット５１Ａを仮設置状態（図３２（Ａ）参照）に戻すことで、窓部ユニット５１Ａと開閉枠５０との上端部同士が寸法Ｌ７分離間するため、窓部ユニット５１Ａを把持して取外すことができる。
【０１３１】
このように、窓部ユニット５１Ａ（特に第２構成部２５０）は、開閉枠５０から取外すことができるため、開閉枠５０や第２構成部２５０の清掃などメンテナンス性が向上する。また、例えば、遊技盤２の交換やメンテナンスの際に遊技機用枠３から取外す場合等において、開閉枠５０を大きく開放すると、窓部ユニット５１Ａが遊技機用枠３から前方に大きく突出しているため、隣接するパチンコ遊技機や遊技球を貸し出す貸出処理や遊技球の計数処理の実行が可能なカードユニット（遊技用装置）等に干渉してしまうので大きく開放することが困難となるが、本実施例の窓部ユニット５１Ａは開閉枠５０から取外すことができるため、開閉枠５０を大きく開放することができる。
【０１３２】
また、窓押え部材５０Ａは、係止位置において第２構成部２５０の突片部２５６ｂ，２５６ｃ，２５６ｋに係止され、第１構成部２６０には係止されない（接触しない）ようになっている（特に図３２（Ｂ）の右図参照）。これによれば、窓押え部材５０Ａは、第１構成部２６０に影響しないため、例えば、窓押え部材５０Ａにより第２構成部２５０を係止した状態のまま、係止部材２８５による第１構成部２６０と第２構成部２５０との係止状態を解除（係止部材２８５を第２回動位置から第１回動位置に変更）し、第２構成部２５０から第１構成部２６０のみを取外すことができる。このように、開閉枠５０から第２構成部２５０を取外したりすることなく第１構成部２６０のみを取外すことができるので、窓部５１のメンテナンス性が向上する。
【０１３３】
図２９及び図３１に戻って、開閉枠５０の側辺部は、上部の前後寸法Ｌ８に比べて下部の前後寸法Ｌ９が短寸となるように形成されており、前面側には演出用のサイドランプ５５Ｌ，５５Ｒが設けられている。尚、前後寸法Ｌ８，Ｌ９は、開閉枠５０における凹部５０ｂの前面から開閉枠５０の側辺部前面までの厚みを指す。
【０１３４】
図３０及び図３２に示すように、窓部ユニット５１Ａが開閉枠５０に組付けられた状態にあっては、窓部ユニット５１Ａの筒状部はサイドランプ５５Ｌ，５５Ｒよりも前面側に突出している。すなわち、窓部ユニット５１Ａにおける前透過板２５１と後透過板２６１との上部の離間寸法Ｌ２（窓部ユニット５１Ａにおける上部の前後寸法）は、開閉枠５０の側辺部における上部の前後寸法Ｌ８に比べ大きくなっている（Ｌ２＜Ｌ８）。また、窓部ユニット５１Ａにおける前透過板２５１と後透過板２６１との下部の離間寸法Ｌ３（窓部ユニット５１Ａにおける下部の前後寸法）は、開閉枠５０の側辺部における下部の前後寸法Ｌ９に比べ大きくなっている（Ｌ３＜Ｌ９）。このように、窓部ユニット５１Ａがサイドランプ５５Ｌ，５５Ｒよりも前方側に突出していることにより、遊技者に奥行きを感じさせることができる。
【０１３５】
また、窓部ユニット５１Ａの下方位置には、前述した上皿９０が設けられている。上皿９０は上方が開放しており、遊技を行うための遊技球を投入可能としているため、上皿９０の上方に窓部ユニット５１Ａが突出していると遊技球の投入の邪魔になってしまう。また、窓部ユニット５１Ａは、上皿９０を形成する部材よりも前方に突出するように設けられている。よって、前透過板２５１は、上端が上皿９０を形成する部材の前端よりも前方に位置するとともに、下端が上皿９０よりも後側に位置するように、上方から下方に向けて後側に傾斜するように配設される。
【０１３６】
図３３及び図３４に示すように、窓部ユニット５１Ａを組付けた開閉枠５０により遊技機用枠３の前面を閉鎖した際には、可動体３００の前方側の一部（所定部）が第１構成部２６０の孔部２７０を介して第１構成部２６０と第２構成部２５０との間に形成される空間部Ｓ内に配置されている。
【０１３７】
詳しくは、可動体３００は、所定の駆動手段（図示略）により斜め上方奥側から斜め下方手前側に向けて移動可能に構成されている。この可動体３００は、前記駆動手段により遊技盤２の上方側に配置される待機位置（図３３の実線部分参照）と、遊技盤２の中央側に配置される演出位置（図３３の二点鎖線部分参照）と、に移動可能となっており、可動体３００の前方側の一部は、待機位置及び演出位置のいずれにおいても空間部Ｓ内に配置されている。
【０１３８】
また、可動体３００は、待機位置から斜め前方下方に向けて移動することで演出位置に到達するため、演出位置における可動体３００の空間部Ｓ内への突出寸法は、待機位置における可動体３００の空間部Ｓ内への突出寸法に比べ大きくなっている。つまり、可動体３００は、空間部Ｓを利用して前後方向に移動することができるため、遊技者によりインパクトを与えることができる。
【０１３９】
また、図３４の拡大部に示すように、窓部ユニット５１Ａを組付けた開閉枠５０により遊技機用枠３の前面を閉鎖した際には、第１構成部２６０の突起部２６２ｃ，２６２ｄは、遊技機用枠３の左端に設けられた盤押え部３１の前面に押し付けられる（突起部２６２ｃのみ図示）。これによれば、突起部２６２ｃ，２６２ｄが盤押え部３１の前面に押し付けられる反力により、第１構成部２６０が開閉枠５０（詳しくは、凹部５０ｂ）に押し付けられるため、窓部ユニット５１Ａと開閉枠５０との組付強度が向上する。つまり、窓部ユニット５１Ａと開閉枠５０との間に隙間が形成され難くなるため、後述のように、窓部ユニット５１Ａと開閉枠５０との間から異物を挿入することを抑制できる。
【０１４０】
また、外レール装飾部材２ｄは、ガイドレール２ｂの外側を周方向に連続するように形成されており、窓部ユニット５１Ａを組付けた開閉枠５０により遊技機用枠３の前面を閉鎖した際には、外レール装飾部材２ｄの前端が後透過板２６１の背面に当接しているため、後透過板２６１の振動などを効果的に抑制することができる。
【０１４１】
また、遊技盤２の開口２ｃに取付けられるセンター飾り枠５２の前端は、後透過板２６１の孔部２７０の近傍に近接しており、センター飾り枠５２と後透過板２６１との間を遊技球が通過できないようになっている。つまり、遊技盤２と後透過板２６１との間におけるセンター飾り枠５２と外レール装飾部材２ｄ（ガイドレール２ｂ）との間に遊技領域１０における遊技球が流下する流下領域１０Ａが形成される。
【０１４２】
尚、特に図示しないが、遊技機用枠３には、係止解除位置にある窓押え部材５０Ａに干渉する突出片（閉鎖阻止部）が形成されている。具体的には、窓押え部材５０Ａが窓部ユニット５１Ａを非係止状態であるときには、前記突出片に窓押え部材５０Ａが干渉して開閉枠５０を閉鎖状態とすることができないようになっている。これによれば、窓押え部材５０Ａにより窓部ユニット５１Ａを係止していない状態で開閉枠５０を閉鎖状態とすることを防止できる。
【０１４３】
尚、本実施例では、遊技機用枠３の突出片（閉鎖阻止部）が係止解除位置にある窓押え部材５０Ａに干渉することにより開閉枠５０が物理的に閉鎖不能となる形態を例示したが、本発明はこれに限定されるものではなく、例えば、窓押え部材５０Ａが係止位置以外の位置にあるとき（係止解除位置を含む）に開閉枠５０を閉鎖したときに、主基板１１に接続される開閉スイッチが開閉枠５０の閉鎖状態に変化しないようにしてもよい。この場合、開閉枠５０を閉鎖しても演出制御用ＣＰＵ１２０は開閉枠５０が開放されている旨を示す処理（エラー報知など）を継続して実行するため、窓部ユニット５１Ａを係止していない状態で開閉枠５０を閉鎖状態とすることを防止できる。
【０１４４】
次に、不正行為を抑制する手段について図３５に基づいて説明する。図３５は、（Ａ）は窓部ユニットにおいて行われる虞のある不正行為の一例を示す説明図、（Ｂ）は本実施例において不正行為を抑制する手段を示す説明図である。
【０１４５】
図３５（Ａ）に示すように、開閉枠５０よりも前方側に突出する窓部ユニット５１Ａを有するパチンコ遊技機１にあっては、例えば、窓部ユニット５１Ａにおける突出部分（筒状部）に発熱可能な工具（例えば、はんだごて等）により、外部から空間部Ｓ内に通じる孔部Ｈを穿孔し、その孔部Ｈを介してピアノ線等の線材ＬＮ（異物）を遊技領域１０における流下領域１０Ａに挿通させ、入賞に関わる普通入賞球装置６Ａ、普通可変入賞球装置６Ｂ、特別可変入賞球装置７等にアクセスする等の不正行為が行われることがあった。
【０１４６】
図３５（Ｂ）に示すように、本実施例のパチンコ遊技機１にあっては、後透過板２６１の孔部２７０に異物進入阻止部材２８０が取付けられているため、孔部２７０から線材ＬＮが流下領域１０Ａ内に進入することを抑制できる。
【０１４７】
具体的には、異物進入阻止部材２８０における第１壁部２８１は、孔部２７０の前面側の周縁に沿って配置されている。すなわち、孔部２７０の前面側の周縁に第１壁部２８１の厚み分の段差が形成されるため、後透過板２６１の前面に沿って挿入される線材ＬＮ１の孔部２７０へのアクセスを抑制できる。また、異物進入阻止部材２８０における第２壁部２８２は、後透過板２６１の背面よりも後方側に延出しているため、孔部２７０から流下領域１０Ａ側に挿入される線材ＬＮ２のアクセスを抑制できる。
【０１４８】
さらに、開閉枠５０の閉鎖状態において、異物進入阻止部材２８０における第２壁部２８２の後端面Ｘ１は、センター飾り枠５２の前端面Ｘ２よりも後方側に配置される。これによれば、線材ＬＮ２が流下領域１０Ａに到達するには、異物進入阻止部材２８０の第２壁部２８２の後端面Ｘ１を越えた後、センター飾り枠５２の前端面Ｘ２を越えなければならない。つまり前後に蛇行するように線材ＬＮ２を移動させる必要があるため、異物を流下領域１０Ａに進入させることが極めて困難になっている。
【０１４９】
また、前述のように、第１筒状体２５２の第１周壁部２５２ａと、第２筒状体２５３の第２周壁部２５３ａと、の間には、金属板から成る補強板２５８が狭持されている（図２５参照）。そのため、第１周壁部２５２ａ及び第２周壁部２５３ａに孔部Ｈなどを形成し、そこから異物を進入させるといった不正行為を抑制できる。
【０１５０】
また、第１周壁部２５２ａの前端及び第２周壁部２５３ａの前端は、前透過板２５１よりも前方側に突出しており（図２６参照）、該突出部分に孔部Ｈが形成され、該孔部Ｈから線材などの異物を挿入される虞があるが、前透過板２５１は、第２筒状体２５３における第２保持部２５３ｂの前面に接着剤等を介して固着されているため、前透過板２５１よりも後方側（遊技盤２側）に異物が進入することを抑制できるようになっている。
【０１５１】
また、図３５（Ｂ）に示すように、開閉枠５０の閉鎖状態において、異物進入阻止部材２８０の第２壁部２８２とセンター飾り枠５２とは、寸法Ｌ１０分離間している。すなわち、開閉枠５０を開閉する際に、異物進入阻止部材２８０とセンター飾り枠５２とが接触することを回避できるため、開閉枠５０の開閉動作を円滑に行うことができる。
【０１５２】
以上説明したように、本発明の実施例としてのパチンコ遊技機１にあっては、第２構成部２５０が第１構成部２６０を構成する後透過板２６１に対し前方に突出する凸状に形成されており、窓部ユニット５１Ａを開閉枠５０に取付けた状態において、第１筒状体２５２及び第２筒状体２５３からなる周壁部が、開閉枠５０の開口部５０ａに背面側から挿入され前方に突出するように設けられる。
【０１５３】
よって、遊技盤面２００Ａとともに遊技領域１０を形成する後透過板２６１は開閉枠５０の前後方向の板厚寸法内に収める一方、周壁部は開閉枠５０の前面に対し前方に突出するように設けることで、開閉枠５０の前後寸法を長寸化することなく、前透過板２５１を後透過板２６１から極力前方に離して配置することができる。これにより、前透過板２５１と後透過板２６１との間に広い空間部Ｓを形成することができる。
【０１５４】
また、第１筒状体２５２及び第２筒状体２５３の上壁部は、前方に向けて下方に傾斜するように形成され、パチンコ遊技機１の前上方からの外光を遊技領域１０に入りにくくしているため、遊技領域１０の上部の前方が上壁部にて隠されてしまうが、遊技者の目線位置は上壁部よりも下方に位置するため、見上げれば視認可能である。
【０１５５】
また、パチンコ遊技機１にあっては、例えば、前透過板２５１に磁石を押しつけるなどして磁気センサを誤作動させて不正に入賞を発生させたり、遊技領域１０を流下する遊技球を磁力により不正に誘導するといった不正行為が行われる可能性があるが、前透過板２５１と後透過板２６１との離間寸法Ｌ２，Ｌ３を長くすることで、後透過板２６１の板厚を増大させることなく、前透過板２５１を遊技領域１０から極力遠ざけて磁石の磁力による影響を減衰させることができるので、磁石による不正行為を好適に抑制することができる。また、不正な磁気を感知する磁石センサを搭載した遊技機にあっては、磁石センサでは検知できない範囲における前透過板２５１と後透過板２６１との離間寸法を長くすることで、上記不正行為を好適に抑制することが可能となるとともに、磁石センサの配置数を軽減することができる。
【０１５６】
また、本発明の実施例としてのパチンコ遊技機１にあっては、遊技領域１０を視認するための窓部５１を有する開閉枠５０を備え、窓部５１は、第１透過部としての後透過板２６１を有する第１構成部としての第１構成部２６０と、後透過板２６１とは異なる第２透過部としての前透過板２５１を有し、第１構成部２６０に対して遊技領域１０と反対側（前側）に突出するように形成された第２構成部としての第２構成部２５０と、から構成され、第２構成部２５０が開閉枠５０にある状態で第１構成部２６０を開閉枠５０から取外し可能である。
【０１５７】
このようにすることで、開閉枠５０から第２構成部２５０を取外したりすることなく第１構成部２６０のみを取外すことができるので、窓部５１のメンテナンス性が向上する。
【０１５８】
詳しくは、本実施例の窓部ユニット５１Ａは、前透過板２５１は後透過板２６１に対し上方に向けて前側に突出するように傾斜している、つまり、第１構成部２６０に対し略筒状の第２構成部２５０が前方に突出する構成であるため、後透過板２６１と前透過板２５１との離間寸法が少なくとも遊技球の直径よりも大きく、しかも後透過板２６１と前透過板２５１との上部間においては約１００ｍｍ以上離間している。よって、後透過板２６１と前透過板２５１との間の空間部は、従来の２重ガラス構造の窓部ユニットの空間部に比べて大きいので、後透過板２６１と前透過板２５１との間に形成される空間部に埃等が溜まりやすく、また、後透過板２６１と前透過板２５１との間の周囲を覆う第１周壁部２５２ａや第２周壁部２５３ａを有することで、重量が従来よりも大きい。
【０１５９】
このような窓部ユニット５１Ａは、例えば、後透過板２６１と前透過板２５１との間に進入した埃等を除去するなどメンテナンス作業を行う場合、開閉枠５０から窓部ユニット５１Ａを取外すには重量もあり困難である。さらには、第１構成部２６０に対し凸状の第２構成部２５０が前方に突出する構成であることで、開閉枠５０を開放したときに第２構成部２５０が当該パチンコ遊技機１の左側に隣接して配置される遊技用装置（カードユニット等）やパチンコ遊技機に接触することで大きく開放できないため、遊技領域１０の球詰り解消作業などのメンテナンス作業時に開閉枠５０が邪魔になる虞がある。
【０１６０】
よって、開閉枠５０に窓部ユニット５１Ａを組付けた状態で、第１構成部２６０のみを取外すことができるようにすることで、第１構成部２６０よりも重量がある第２構成部２５０を開閉枠５０に残したまま、第１構成部２６０のみを開閉枠５０から取外すだけで後透過板２６１と前透過板２５１との間の空間部を開放できるので、空間部内の清掃作業を容易に行うことができるばかりか、第１構成部２６０を除去することで開閉枠５０の背面に大きな凹部が形成されるため、開閉枠５０を大きく開放できなくても、遊技領域１０の球詰り解消作業といったメンテナンス作業を行いやすくなる。
【０１６１】
また、特に本実施例では、遊技領域１０（遊技球の流下領域）の前側を閉鎖するように配置される後透過板２６１に孔部２７０が形成されていることから、該孔部２７０を介して、埃だけでなく、遊技球や異物（例えば、遊技領域１０側に設けられる部品等）等が進入しやすい構成であることから、上記のように第２構成部２５０を開閉枠５０に残したまま、第１構成部２６０のみを開閉枠５０から取外すことが可能とすることで、メンテナンスの作業性を向上させることが可能となる。
【０１６２】
また、本実施例では、後透過板２６１には、盤面板２００に形成される開口２ｃに対応した形状の孔部２７０が形成されている。遊技盤２は機種固有のものであるため、機種変更に伴い遊技盤２を交換する際に後透過板２６１も一緒に交換する場合、第１構成部２６０のみを第２構成部２５０から取外して交換することができるため、交換作業を容易に行うことができる。
【０１６３】
また、第１構成部２６０は、第２構成部２５０に設けられた被支持部としての取付片２５６ｄに支持可能な支持部としての取付片２６２ｅを一端側に有し、該取付片２６２ｅを取付片２５６ｄに支持した状態で他端側を第２構成部２５０に取付け可能である。
【０１６４】
このようにすることで、第１構成部２６０の開閉枠５０に対する着脱操作が容易になる。詳しくは、第１構成部２６０の荷重を第２構成部２５０に預けた状態で取付けや取外し操作を行うことができるので、作業性が向上するとともに、第１構成部２６０の落下による破損等を抑制できる。
【０１６５】
尚、本実施例では、被支持部としての取付片２５６ｄは第２構成部２５０に設けられている形態を例示したが、本発明はこれに限定されるものではなく、開閉枠５０に設けた被支持部に取付片２５６ｄに支持した状態で他端側を第２構成部２５０に取付け可能としてもよい。
【０１６６】
また、本実施例では、被支持部を第２構成部２５０の下辺部に設け、下辺部を中心として第２構成部２５０の上部を回動させることで上辺部を第２構成部２５０に取付ける形態を例示したが、本発明はこれに限定されるものではなく、被支持部を第２構成部２５０や開閉枠５０における上辺部、左辺部、右辺部のいずれかに設け、第１構成部２６０を上辺部、左辺部、右辺部のいずれかに設けた被支持部に支持部を支持した状態で回動させることで第２構成部２５０に取付けできるようにしてもよい。
【０１６７】
また、第２構成部２５０は、開閉枠５０に対し取外し可能であることで、開閉枠５０や第２構成部２５０の清掃などメンテナンス性が向上する。詳しくは、上記したように、開閉枠５０から第２構成部２５０を取外すことで、開閉枠５０を大きく開放することが可能となるため、遊技領域１０の球詰り解消作業といったメンテナンス作業を行いやすくなる。
【０１６８】
また、第２構成部２５０の第１筒状体２５２の外面や第２筒状体２５３の内面に機種固有の装飾が施されている場合、機種変更に伴い第２構成部２５０を交換することがあるため、このような場合、開閉枠５０を交換せずに第２構成部２５０のみを容易に交換することが可能となる。
【０１６９】
また、第１構成部２６０に第２構成部２５０を取付けるための取付手段（例えば、係止部材２８５、取付片２５６ｄ、取付片２６２ｅ）を備え、第１構成部２６０と第２構成部２５０とを一体化した状態で開閉枠５０から取外し可能である。
【０１７０】
このようにすることで、第１構成部２６０及び第２構成部２５０を一緒に開閉枠５０から取外すことができるので、窓部５１のメンテナンス性が向上する。
【０１７１】
また、本実施例では、窓部ユニット５１Ａ、つまり、第１構成部２６０と第２構成部２５０とが開閉枠５０に対し着脱可能とされる形態を例示したが、本発明はこれに限定されるものではなく、少なくとも第１構成部２６０のみが開閉枠５０から取外し可能とされるようになっていれば、第２構成部２５０は開閉枠５０から取外し不能に固定されていてもよい。あるいは、第２構成部２５０は開閉枠５０の一部に予め一体に形成されていてもよい。さらに、第１筒状体２５２や第２筒状体２５３のみが開閉枠５０の一部に予め一体に形成され、前透過板２５１が開閉枠５０から取外し可能とされていてもよい。
【０１７２】
また、本実施例では、後透過板２６１に開口部としての孔部２７０が形成される形態を例示したが、本発明はこれに限定されるものではなく、後透過板２６１に必ずしも開口部としての孔部２７０が形成されていなくてもよい。
【０１７３】
また、本実施例では、第２透過部としての前透過板２５１は、第１保持部２５２ｂと第２保持部２５３ｂとにより前透過板２５１の少なくとも一部を前面側と後面側とから挟み込むように所定位置に保持する形態を例示したが、本発明はこれに限定されるものではなく、第１筒状体２５２の前面開口を閉鎖するように設けられていれば、保持形態は上記のものに限定されるものはなく、種々に変更可能である。
【０１７４】
次に、本発明の変形例１について図３６に基づいて説明する。図３６は、本発明の変形例１を示す説明図である。
【０１７５】
図３６に示すように、本変形例の窓部ユニットは、第１構成部２６０と第２構成部２５０とが、各々の左側辺同士を連結する蝶番２９０を介して連結され、左側辺を中心として回動可能に取付けられていている。すなわち、開閉枠５０は、遊技機本体である遊技機用枠３に対し左側辺を中心として開閉可能に設けられ、第１構成部２６０は、左側辺と同じ側の左側辺を中心として、開閉枠５０に対し開閉可能に設けられている。このようにすることで、開閉枠５０から第１構成部２６０を取外すことなく第２構成部２５０を開放させることができるので、窓部５１のメンテナンス性が向上する。
【０１７６】
また、本発明の実施例としてのパチンコ遊技機１にあっては、遊技領域１０を視認するための窓部５１を有する開閉枠５０を備え、窓部５１は、第１透過部としての後透過板２６１を有する第１構成部としての第１構成部２６０と、後透過板２６１とは異なる第２透過部としての前透過板２５１を有し、第１構成部２６０に対して遊技領域１０と反対側（前側）に突出するように形成された第２構成部としての第２構成部２５０と、から構成され、前透過板２５１の少なくとも一部を前面側と後面側とから挟み込むように所定位置に保持する第１保持部２５２ｂと第２保持部２５３ｂとを備える。
【０１７７】
このようにすることで、前透過板２５１を所定位置に好適に保持することができる。詳しくは、前透過板２５１は後透過板２６１より遊技者側に位置するため前側から叩かれたり引っ張られたりする虞がある。よって、窓部５１を不正に開放するために、前透過板２５１を手前側に取外そうとした場合は第１保持部２５２ｂにより移動が規制され、前透過板２５１を奥側に押し込んで取外そうとした場合は第２保持部２５３ｂにより移動が規制されることで、前透過板２５１を取外すことが困難となるため、不正な開放を抑制できる。
【０１７８】
また、本実施例では、前透過板２５１は略垂直な後透過板２６１に対し上方に向けて前側に突出するように傾斜していることで、前側から前透過板２５１を強く叩きにくい。
【０１７９】
また、第２構成部２５０は、前透過板２５１と、該前透過板２５１と後透過板２６１との間を閉鎖する周壁部とから構成され、周壁部は、第１保持部２５２ｂを有する第１周壁部２５２ａと、第１周壁部２５２ａの内側に嵌合され第２保持部２５３ｂを有する第２周壁部２５３ａと、を有し、前透過板２５１が第１保持部２５２ｂと第２保持部２５３ｂとにより所定位置に保持された状態において、第２周壁部２５３ａは前透過板２５１の周縁より第１周壁部２５２ａ側に突出する。
【０１８０】
このようにすることで、前透過板２５１と第１周壁部２５２ａとの間から差し込まれた異物の奥側への進入を抑制することができる。詳しくは、第１保持部２５２ｂは、前透過板２５１の前面における周縁部に対応する位置に配置され、第２保持部２５３ｂは、前透過板２５１の背面における周縁部に対応する位置に配置され、第１保持部２５２ｂと第２保持部２５３ｂとはそれぞれ前透過板２５１の周縁に沿って延設されていることで、前透過板２５１の周縁部は環状の凹溝内に挿入されていることになる。よって、前透過板２５１の周縁と第１周壁部２５２ａや第２周壁部２５３ａとの間から針金等の異物を進入させることが困難となるため、不正行為を抑制できる。
【０１８１】
また、前透過板２５１は、第２保持部２５３ｂを介して第２周壁部２５３ａに固着されている。このようにすることで、前透過板２５１と第１周壁部２５２ａとの間から差し込まれた異物の奥側への進入を抑制することができる。また、前透過板２５１は、第１保持部２５２ｂの後側にある第２保持部２５３ｂに固着されることで、前側から叩かれた衝撃を背面側から受けることができるため、前側からの衝撃により固着状態が解除されることを回避できる。
【０１８２】
また、第２周壁部２５３ａは、第１周壁部２５２ａに対し交換可能に取付けられている。このようにすることで、第２周壁部２５３ａのみを容易に交換することができる。詳しくは、第２周壁部２５３ａの内面に機種固有の装飾などが施される場合、第１周壁部２５２ａを交換することなく、第２周壁部２５３ａのみを交換するだけで機種変更に対応することが可能となる。
【０１８３】
第２構成部２５０は、第１構成部２６０に対し上部側が下部側よりも大きく突出しており、第２周壁部２５３ａは、第１周壁部２５２ａに対し上部側が下部側よりも多くの取付手段（例えば、ネジＮ１及びネジＮ４）により取付けられている。
【０１８４】
このようにすることで、第１周壁部２５２ａに第２周壁部２５３ａを取付けることで生じる歪みを極力小さくすることができる。詳しくは、上端が前側に傾倒する傾倒姿勢をなす第２構成部２５０の場合、下部側に比べ上部側に対して荷重がかかりやすいため、第１周壁部２５２ａと第２周壁部２５３ａとの上部に歪みが発生し易いが、第１周壁部２５２ａ及び第２周壁部２５３ａの上部において下部に比べて多くのネジにより連結されるため、第１周壁部２５２ａと第２周壁部２５３ａとの上部に発生する歪みを極力小さくすることができる。
【０１８５】
また、第２構成部２５０は、前透過板２５１と、該前透過板２５１と後透過板２６１との間を閉鎖する周壁部とから構成され、周壁部は、第１保持部２５２ｂを有する第１周壁部２５２ａと、第１周壁部２５２ａの内側に嵌合され第２保持部２５３ｂを有する第２周壁部２５３ａと、を有し、第１周壁部２５２ａと第２周壁部２５３ａには放熱用孔部としての孔部２５７Ｌ，２５７Ｒ、孔部２５９Ｌ，２５９Ｒが形成され、孔部２５７Ｌ，２５７Ｒ、孔部２５９Ｌ，２５９Ｒを遊技領域１０と反対側（前側）から閉鎖可能な閉鎖部材としてのカバー部材２７３Ｌ，２７３Ｒが、遊技領域１０側（後側）で取付けられている。
【０１８６】
このようにすることで、カバー部材２７３Ｌ，２７３Ｒが不正に取外されて孔部２５７Ｌ，２５７Ｒ、孔部２５９Ｌ，２５９Ｒから異物が進入されることを抑制できる。また、孔部２５７Ｌ，２５７Ｒ、孔部２５９Ｌ，２５９Ｒを放熱用孔部として使用する機種であるか否かに応じて、カバー部材２７３Ｌ，２７３Ｒを取付けて使用したり取外したりすることができるので、機種変更に容易に対応することができる。
【０１８７】
尚、本実施例では、閉鎖部材の一例としてカバー部材２７３Ｌ，２７３Ｒを適用した形態を例示したが、本発明はこれに限定されるものではなく、閉鎖部材は閉鎖専用の部材であってもよいし、装飾部材や他の演出部材等を代用してもよい。
【０１８８】
さらに本実施例では、孔部２５７Ｌ，２５７Ｒ、孔部２５９Ｌ，２５９Ｒを放熱用孔部として使用する形態を例示したが、本発明はこれに限定されるものではなく、放熱以外の用途（例えば、音を放音する放音部など）に使用する孔部でもよい。
【０１８９】
また、第２構成部２５０は、前透過板２５１と、該前透過板２５１と後透過板２６１との間を閉鎖する周壁部とから構成され、周壁部は、第１保持部２５２ｂを有する第１周壁部２５２ａと、第１周壁部２５２ａの内側に嵌合され第２保持部２５３ｂを有する第２周壁部２５３ａと、を有し、第１周壁部２５２ａの前面側に配置される装飾部材としてのカバー部材２７３Ｌ，２７３Ｒを備え、カバー部材２７３Ｌ，２７３Ｒは、第２周壁部２５３ａの背面側から該第２周壁部２５３ａと第１周壁部２５２ａとに挿入したネジＮ２により取付けられる。
【０１９０】
このようにすることで、第１周壁部２５２ａや第２周壁部２５３ａを取外すことなくカバー部材２７３Ｌ，２７３Ｒを交換できる。また、ネジＮ２は第２周壁部２５３ａの背面側で取付け、取外し操作可能であることで、窓部ユニット５１Ａを開閉枠５０に取付けた状態においてネジＮ２を遊技者側から容易に操作することはできないため、不正な取外しを抑制できる。
【０１９１】
また、第２構成部２５０には、後透過板２６１に対し傾斜する方向を向く放熱用孔部が形成されている（図２７参照）。
【０１９２】
このようにすることで、放熱用孔部を介して内部を覗かれたり異物を進入し難くすることができる。また、放熱用孔部は前透過板２５１の下部に設けられていることで、遊技者側から放熱用孔部を覗きにくくなる。
【０１９３】
また、第２構成部２５０は、前透過板２５１と、該前透過板２５１と後透過板２６１との間を閉鎖する周壁部とから構成され、周壁部は、第１保持部２５２ｂを有する第１周壁部２５２ａと、第１周壁部２５２ａの内側に嵌合され第２保持部２５３ｂを有する第２周壁部２５３ａと、第１周壁部２５２ａと第２周壁部２５３ａとの間に設けられる補強板２５８と、を有する。
【０１９４】
このようにすることで、第１周壁部２５２ａと第２周壁部２５３ａに孔をあけて異物を進入させる不正行為を抑制できる。また、第２構成部２５０の強度が向上するため、叩かれること等による衝撃による破損等を抑制できる。
【０１９５】
また、本実施例では、窓部ユニット５１Ａ、つまり、第１構成部２６０と第２構成部２５０とが開閉枠５０に対し着脱可能とされる形態を例示したが、本発明はこれに限定されるものではなく、第１構成部２６０や第２構成部２５０は開閉枠５０から取外し不能に固定されていてもよい。
【０１９６】
また、本実施例では、後透過板２６１に開口部としての孔部２７０が形成される形態を例示したが、本発明はこれに限定されるものではなく、後透過板２６１に必ずしも開口部としての孔部２７０が形成されていなくてもよい。
【０１９７】
また、本発明の実施例としてのパチンコ遊技機１にあっては、遊技領域１０を視認するための窓部５１を有する開閉枠５０を備え、窓部５１は、第１透過部としての後透過板２６１を有する第１構成部２６０と、後透過板２６１とは異なる第２透過部としての前透過板２５１を有し、第１構成部２６０に対して遊技領域１０と反対側（前側）に突出するように形成された第２構成部２５０と、から構成され、後透過板２６１は、開口部としての孔部２７０を有し、孔部２７０の縁部の少なくとも一部に沿うように設けられ、開閉枠５０を閉鎖した状態において、孔部２７０から遊技領域１０における孔部２７０に対応しない領域への異物の進入を阻止するための異物進入阻止部材２８０を備える。
【０１９８】
このようにすることで、孔部２７０から遊技領域１０へ異物を進入することによる不正行為を抑止することができる。詳しくは、孔部２７０は、開閉枠５０を閉鎖した状態において遊技領域１０における盤面板２００に形成された開口２ｃに対応する位置に設けられ、また、開口２ｃにはセンター飾り枠５２が設けられていることで、開閉枠５０を閉鎖した状態において、遊技球の流下領域１０Ａと非流下領域１０Ｂとはセンター飾り枠５２により仕切られる。しかし、開閉枠５０は遊技機用枠３に対し開閉可能であることで、遊技機用枠３側のセンター飾り枠５２と開閉枠５０側の後透過板２６１とを接続することはできないため、開閉枠５０を閉鎖した状態においてセンター飾り枠５２と後透過板２６１との間に隙間が生じやすい。
【０１９９】
よって、図３６（Ａ）にて説明したように、第２構成部２５０側から不正に進入させたピアノ線や針金等の異物を、孔部２７０を介して遊技領域１０へ進入させる場合、異物を後透過板２６１の背面における孔部２７０の周囲とセンター飾り枠５２との間に形成される隙間に進入させることが考えられるが、孔部２７０に異物進入阻止部材２８０が設けられることで、孔部２７０から遊技領域１０へ異物を進入することによる不正行為を抑止することができる。
【０２００】
また、異物進入阻止部材２８０は、孔部２７０に係止可能な係止部としての係止爪２８３を有し、該係止爪２８３により後透過板２６１に取付けられる。
【０２０１】
このようにすることで、異物進入阻止部材２８０を後透過板２６１に簡単に取付けることができる。また、後透過板２６１がアクリル樹脂板等にて構成されているので、取付けにネジ等を使用すると破損したり、ネジ孔により強度が低下する虞があるため、後透過板２６１の破損や強度低下を抑制できる。
【０２０２】
また、遊技領域１０は、開閉枠５０を閉鎖した状態において異物進入阻止部材２８０の少なくとも一部に対応する位置に設けられる構造物としてのセンター飾り枠５２を有し、開閉枠５０を閉鎖した状態において、異物進入阻止部材２８０とセンター飾り枠５２との間に隙間が形成される。詳しくは、開閉枠５０の閉鎖状態において、異物進入阻止部材２８０の第２壁部２８２とセンター飾り枠５２とは、寸法Ｌ１０分離間している。
【０２０３】
このようにすることで、開閉枠５０を開閉する際に異物進入阻止部材２８０とセンター飾り枠５２とが接触することを回避できるため、開閉枠５０の開閉動作を円滑に行うことができる。
【０２０４】
また、本実施例では、異物進入阻止部材２８０は、開閉枠５０を閉鎖した状態において構造物としてのセンター飾り枠５２に対し少なくとも一部が重畳する。詳しくは、開閉枠５０の閉鎖状態において、異物進入阻止部材２８０における第２壁部２８２の後端面Ｘ１は、センター飾り枠５２の前端面Ｘ２よりも後方側に配置される。このようにすることで、センター飾り枠５２と異物進入阻止部材２８０との間に形成される隙間（離間寸法Ｌ１０）から進入させた異物を蛇行させないと奥側へ進入させることができなくなり進入操作が困難となるため、異物の進入を好適に抑止できる。
【０２０５】
また、本実施例では、異物進入阻止部材２８０は、係止爪２８３にて係止することにより後透過板２６１に取付けられる形態を例示したが、本発明はこれに限定されるものではなく、ネジにより後透過板２６１に取付けられるようにしてもよい。このようにすることで、異物進入阻止部材２８０を後透過板２６１に簡単に取付けることができる。
【０２０６】
また、本実施例では、異物進入阻止部材２８０は、係止爪２８３により係止することにより後透過板２６１に取付けられる形態を例示したが、本発明はこれに限定されるものではなく、接着材により後透過板２６１に取付けられていてもよい。このようにすることで、異物進入阻止部材２８０を後透過板２６１に簡単に取付けることができる。
【０２０７】
また、本実施例では、遊技領域１０は、開閉枠５０を閉鎖した状態において異物進入阻止部材２８０の少なくとも一部に対応する位置に設けられる構造物としてのセンター飾り枠５２を有し、センター飾り枠５２の少なくとも一部は、開閉枠５０を閉鎖した状態において異物進入阻止部材２８０または後透過板２６１よりも遊技領域１０と反対側（前側）に突出しない形態を例示したが、本発明はこれに限定されるものではなく、センター飾り枠５２の少なくとも一部は、開閉枠５０を閉鎖した状態において異物進入阻止部材２８０または後透過板２６１よりも遊技領域１０と反対側（前側）に突出するようにしてもよい。このようにすることで、異物の進入を好適に抑止できる。
【０２０８】
また、本実施例では、異物進入阻止部材２８０とセンター飾り枠５２との間に隙間が形成される形態を例示したが、本発明はこれに限定されるものではなく、図３７に示すように、開閉枠５０の閉鎖状態において、異物進入阻止部材２８０の第２壁部２８２がセンター飾り枠５２の内周面に接触していてもよい。これによれば、第２壁部２８２とセンター飾り枠５２との間に異物を挿入することができないため、流下領域１０Ａに異物を進入させるといった不正行為を好適に抑制できる。
【０２０９】
また、本実施例では、異物進入阻止部材２８０は、後透過板２６１とは別個に設けられ、後透過板２６１に取付できる形態を例示したが、本発明はこれに限定されるものではなく、異物進入阻止部は、後透過板２６１に一体に形成されていてもよい。例えば、図３８に示すように、後透過板２６１の孔部２７０の周縁に後方側に突出する突出部２６１ａを設け、突出部２６１ａの後端面Ｘ１’をセンター飾り枠５２の前端面Ｘ２よりも後方側に配置してもよい。このようにすることで、異物進入阻止部材２８０と後透過板２６１との間に隙間が生じることがないので、異物の進入を好適に抑止できる。
【０２１０】
次に、図３９及び図４０に基づいて、本発明の変形例４〜変形例６について説明する。図３９は、（Ａ）は本発明の変形例４としての窓部ユニットを示す縦断面図、（Ｂ）は変形例５としての窓部ユニットを示す縦断面図である。図４０は、（Ａ）は本発明の変形例６としての窓部ユニットを示す正面図、（Ｂ）は同じく縦断面図である。
【０２１１】
図３９（Ａ）（Ｂ）に示す変形例４及び変形例５のように、前透過板２５１は、後透過板２６１から前方側に筒状に突出する筒状部２５２Ａの前側の開口を閉鎖する第１板状部２５１Ａと、筒状部２５２Ａの外側に配置される第２板状部２５１Ｂと、から構成されていてもよい。
【０２１２】
また、図３９（Ａ）に示すように、第１板状部２５１Ａは後透過板２６１に対し傾斜するように配置し、第２板状部２５１Ｂは後透過板２６１に対し略平行に配置してもよい。さらに、図３９（Ｂ）に示すように、第１板状部２５１Ａ及び第２板状部２５１Ｂ双方を後透過板２６１に対し略平行に配置してもよい。
【０２１３】
また、図４０に示すように、本発明の窓部ユニットは、パチンコ遊技機１に限らず、スロットマシン１０００に適用されてもよい。具体的には、スロットマシン１０００に適用される窓部ユニット５１０Ａは、第１構成部５６０と第２構成部５５０とを備え、筐体１００１内に設置される前後に移動可能な可動体７００と、スロットマシン１０００の筐体１００１内に設置されるリール１００２とを含む所定の領域の前面を被覆している。また、第１構成部５６０は、リール１００２の各変動表示部に対応して設けられる透視窓５６０ａと、可動体７００が挿通可能な孔部５６０ｂと、を備えている。すなわち、本変形例の遊技領域は、可動体７００の可動領域と、図柄の変動表示が可能なリール１００２の各変動表示部を遊技者から視認可能とするための領域とからなる非流下領域である。
【０２１４】
このように、遊技領域は、前記実施例のように遊技媒体の流下領域１０Ａ及び非流下領域１０Ｂから構成されるものに限らず、非流下領域（リール１００２や可動体７００を視認可能な領域）のみで構成されてもよいし、流下領域のみで構成されてもよい。
【０２１５】
また、前記実施例では、窓部５１は、第１透過部としての後透過板２６１を有する第１構成部としての第１構成部２６０と、後透過板２６１とは異なる第２透過部としての前透過板２５１を有し、第１構成部２６０に対して遊技領域１０と反対側（前側）に突出するように形成された第２構成部としての第２構成部２５０と、から構成される形態を例示したが、本発明はこれに限定されるものではなく、窓部５１は、第１構成部と第２構成部以外の他の構成部等を含むものであってもよい。
【０２１６】
また、前記実施例では、第１透過部及び第２透過部の一例として、後透過板２６１及び前透過板２５１を適用した形態を例示したが、本発明はこれに限定されるものではなく、後透過板２６１や前透過板２５１は、必ずしも板状に形成されているものに限定されるものではなく、形状は任意である。
【０２１７】
また、前記実施例では、前透過板２５１はガラス材、後透過板２６１は透明な合成樹脂材にて形成される形態を例示したが、本発明はこれに限定されるものではなく、第１透過部や第２透過部の材質は上記したものでなくてもよく、例えば、前透過板２５１は透明な合成樹脂材、後透過板２６１はガラス材にて形成されていてもよいし、双方がガラス材または透明な合成樹脂材にて構成されていてもよい。尚、第１透過部や第２透過部は、少なくとも第１透過部や第２透過部の一面側から他面側を視認（透視）可能であれば透明でなくてもよく、例えば、着色されていたり、スモークフィルムが貼付されたり、マジックミラーのように光の一部を反射する反射層が設けられたりしていてもよい。
【０２１８】
また、前記実施例では、前透過板２５１は、後透過板２６１に対し上部側が前方に傾倒するように配置される、つまり、前透過板２５１は後透過板２６１に対し非平行に配置される形態を例示したが、本発明はこれに限定されるものではなく、前透過板２５１は後透過板２６１に対し平行に配置されていてもよい。
【０２１９】
また、前記実施例では、第１構成部２６０は、後透過板２６１と枠体２６２とを有する形態を例示したが、本発明はこれに限定されるものではなく、少なくとも第１透過部としての後透過板２６１を有していれば、必ずしも枠体２６２を有していなくてもよい。例えば、後透過板２６１と枠体２６２とが一体に形成されていてもよく、この場合、透明な板状部の部分が第１透過部を構成する。
【０２２０】
また、前記実施例では、第２構成部２５０は、前透過板２５１、第１筒状体２５２、第２筒状体２５３及び補強板２５８を有する形態を例示したが、本発明はこれに限定されるものではなく、少なくとも第２透過部としての前透過板２５１を有していれば、必ずしも第１筒状体２５２、第２筒状体２５３及び補強板２５８を有していなくてもよい。例えば、前透過板２５１と第２筒状体２５３または前透過板２５１と第２筒状体２５３が一体化されていてもよく、この場合、透明な板状部の部分が第２透過部を構成する。
【０２２１】
また、前記実施例では、第１筒状体２５２、第２筒状体２５３及び補強板２５８が第２構成部２５０に含まれる形態を例示したが、本発明はこれに限定されるものではなく、第１筒状体２５２、第２筒状体２５３及び補強板２５８は第１構成部２６０に含まれる（例えば、枠体２６２と一体に設けられるなど）ものであってもよい。
【０２２２】
また、前記実施例では、第１筒状体２５２や第２筒状体２５３は筒状に形成される形態を例示したが、本発明はこれに限定されるものではなく、必ずしも筒状に形成されていなくてもよい。
【０２２３】
また、前記実施例では、前透過板２５１の少なくとも一部を前面側と後面側とから挟み込むように所定位置に保持する第１保持部２５２ｂは第１筒状体２５２に形成され、第２保持部２５３ｂは第２筒状体２５３に形成される形態を例示したが、本発明はこれに限定されるものではなく、第１保持部２５２ｂと第２保持部２５３ｂの双方が第１筒状体２５２または第２筒状体２５３に一緒に形成されていてもよい。
【０２２４】
また、前記実施例では、前透過板２５１は第２筒状体２５３の第２保持部２５３ｂに接着される形態を例示したが、本発明はこれに限定されるものではなく、第１筒状体２５２の第１保持部２５２ｂに接着されていてもよい。さらに、第１保持部２５２ｂと第２保持部２５３ｂの双方に接着されていてもよいし、第１保持部２５２ｂと第２保持部２５３ｂのいずれにも接着されていなくてもよい。
【０２２５】
また、前記実施例では、開閉枠５０を閉鎖した状態において後透過板２６１における盤面板２００に形成された開口２ｃに対応する位置に開口部としての孔部２７０の少なくとも一部が形成された形態を例示したが、本発明はこれに限定されるものではなく、必ずしも開口２ｃに対応する位置に形成されていなくてもよい。また、開口部である孔部２７０と開口２ｃとは同形状でなくてもよいし、異なる形状でもよい。
【０２２６】
また、前記実施例では、後透過板２６１において、開閉枠５０を閉鎖した状態において盤面板２００に形成された開口２ｃに対応する位置に開口部としての孔部２７０の少なくとも一部が形成された形態を例示したが、本発明はこれに限定されるものではなく、例えば、盤面板２００の周縁の一部に切欠部が形成されている場合、後透過板２６１における該切欠部に対応する位置に開口部としての孔部２７０の少なくとも一部が形成されていてもよいし、孔部２７０に替えて切欠部が形成されていてもよい。
【０２２７】
また、前記実施例では、後透過板２６１において、開閉枠５０を閉鎖した状態において盤面板２００に形成された開口２ｃに対応する位置に開口部としての孔部２７０の少なくとも一部が形成された形態を例示したが、本発明はこれに限定されるものではなく、例えば、後透過板２６１において、開閉枠５０を閉鎖した状態において開口２ｃ以外の箇所に設けられた構造物（例えば、可動体等の演出部材や入賞部材等）に対応する位置に、孔部２７０とは別個に開口部や切欠部を形成してもよい。また、構造物は動作可能な可動体に限らず、動作不能な演出用部材（例えば、装飾部材など）や遊技用部材（例えば、入賞装置など）であってもよい。
【０２２８】
また、前記実施例では、可動体３００が原点位置に位置している状態でも、該可動体３００の一部が開口２ｃ及び孔部２７０を介して後透過板２６１より前方に突出する形態を例示したが、本発明はこれに限定されるものではなく、可動体３００が原点位置から所定位置まで移動したときに該可動体３００の一部が開口２ｃ及び孔部２７０を介して後透過板２６１より前方に突出するものであってもよい。
【０２２９】
また、前記実施例では、第１保持部２５２ｂと第２保持部２５３ｂとは、後透過板２６１の周縁の一部に沿うように円弧状に延設されている形態を例示したが、本発明はこれに限定されるものではなく、第１保持部２５２ｂと第２保持部２５３ｂとは、後透過板２６１の周縁の一部を前後から挟持するように所定位置に保持可能であれば、後透過板２６１の周縁の複数個所に部分的に設けられているものであってもよい。
【０２３０】
また、前記実施例では、異物進入阻止部材２８０は、後透過板２６１に形成された孔部２７０の周縁に沿って環状に形成されていたが、本発明はこれに限定されるものではなく、孔部２７０の周縁の少なくとも一部に沿って設けられていれば、必ずしも全周にわたり設けられていなくてもよい。
【０２３１】
また、前記実施例では、異物進入阻止部材２８０は、非透光性の合成樹脂材にて形成された形態を例示したが、本発明はこれに限定されるものではなく、透光性を有する合成樹脂材にて構成されていてもよい。
【０２３２】
また、前記実施例では、窓部ユニット５１Ａが開閉枠５０に取付けられている状態において、第２構成部２５０としての第１筒状体２５２や第２筒状体２５３の左右側方または上方に演出用発光部が設けられる形態を例示したが、本発明はこれに限定されるものではなく、第１筒状体２５２や第２筒状体２５３が開閉枠５０の周縁部まで広がるように設けられていてもよい。
【０２３３】
以上、本発明の実施例を図面により説明してきたが、具体的な構成はこれら実施例に限られるものではなく、本発明の要旨を逸脱しない範囲における変更や追加があっても本発明に含まれる。
【０２３４】
例えば、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０２３５】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【０２３６】
また、前記実施例では、遊技機の一例としてパチンコ遊技機が適用されていたが、例えば、図４０にて説明したように、遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【符号の説明】
【０２３７】
１        パチンコ遊技機
２          遊技盤
５０        開閉枠
５１        窓部
５１Ａ      窓部ユニット
２５０      第２構成部
２５１      前透過板
２５２ａ    第１周壁部
２５２ｂ    第１保持部
２５３ａ    第２周壁部
２５３ｂ    第２保持部
２６０      第１構成部
２６１      後透過板
２８０      異物進入阻止部材
【図１】
2018126192.tif 000003
【図２】
2018126192.tif 000004
【図３】
2018126192.tif 000005
【図４】
2018126192.tif 000006
【図５】
2018126192.tif 000007
【図６】
2018126192.tif 000008
【図７】
2018126192.tif 000009
【図８】
2018126192.tif 000010
【図９】
2018126192.tif 000011
【図１０】
2018126192.tif 000012
【図１１】
2018126192.tif 000013
【図１２】
2018126192.tif 000014
【図１３】
2018126192.tif 000015
【図１４】
2018126192.tif 000016
【図１５】
2018126192.tif 000017
【図１６】
2018126192.tif 000018
【図１７】
2018126192.tif 000019
【図１８】
2018126192.tif 000020
【図１９】
2018126192.tif 000021
【図２０】
2018126192.tif 000022
【図２１】
2018126192.tif 000023
【図２２】
2018126192.tif 000024
【図２３】
2018126192.tif 000025
【図２４】
2018126192.tif 000026
【図２５】
2018126192.tif 000027
【図２６】
2018126192.tif 000028
【図２７】
2018126192.tif 000029
【図２８】
2018126192.tif 000030
【図２９】
2018126192.tif 000031
【図３０】
2018126192.tif 000032
【図３１】
2018126192.tif 000033
【図３２】
2018126192.tif 000034
【図３３】
2018126192.tif 000035
【図３４】
2018126192.tif 000036
【図３５】
2018126192.tif 000037
【図３６】
2018126192.tif 000038
【図３７】
2018126192.tif 000039
【図３８】
2018126192.tif 000040
【図３９】
2018126192.tif 000041
【図４０】
2018126192.tif 000042